(57)【要約】本願は、少なくとも、５Ｇネットワーク上の装置を対象とする。装置は、５Ｇネットワークにおいて初期アクセス信号の構成を実施するためのその上に記憶された命令を含む、非一過性メモリを含む。装置は、非一過性メモリに動作可能に結合され、ダウンリンク初期アクセス信号を搬送するビーム掃引ブロックを含むダウンリンク掃引サブフレームの伝送を監視する命令を実行可能であるプロセッサも含む。プロセッサは、同期信号を搬送するダウンリンク初期アクセス信号を検出する命令を実行することも可能である。プロセッサは、同期信号に基づいて、ダウンリンク初期アクセス信号に関連付けられたビーム掃引ブロックの識別を決定する命令を実行することも可能である。本願は、５Ｇネットワークにおいてセルのダウンリンク同期を実施するように構成される装置も対象とする。
2019517182.tif 000002
【特許請求の範囲】
【請求項１】
５Ｇネットワーク上の装置であって、前記装置は、
非一過性メモリであって、前記非一過性メモリは、前記５Ｇネットワークにおいて初期アクセス信号の構成を実施するためのその上に記憶された命令を含む、非一過性メモリと、
前記非一過性メモリに動作可能に結合されているプロセッサと
を備え、
前記プロセッサは、
ビーム掃引ブロックを含むダウンリンク掃引サブフレーム境界の伝送を監視することであって、前記ビーム掃引ブロックは、物理ブロードキャストチャネルを有し、ダウンリンク初期アクセス信号を搬送する、ことと、
同期信号を搬送する前記ダウンリンク初期アクセス信号を検出することと、
前記同期信号に基づいて、前記ダウンリンク初期アクセス信号に関連付けられた前記ビーム掃引ブロックの識別を決定することと
を行う命令を実行可能である、装置。
【請求項２】
前記プロセッサは、前記検出されたビーム掃引ブロックと前記ダウンリンク掃引サブフレーム境界との間のタイミングオフセットを計算する命令を実行するようにさらに構成されている、請求項１に記載の装置。
【請求項３】
前記プロセッサは、前記タイミングオフセットを補償する命令を実行するようにさらに構成されている、請求項２に記載の装置。
【請求項４】
前記決定する命令は、セルＩＤおよびビームＩＤのうちの１つ以上のものを位置特定することを含む、請求項１に記載の装置。
【請求項５】
前記ダウンリンクアクセス信号は、ビーム基準信号をさらに含む、請求項４に記載の装置。
【請求項６】
前記ビーム掃引ブロックは、ビーム掃引バーストの一部である、請求項１に記載の装置。
【請求項７】
前記ビーム掃引ブロックは、１つ以上のＯＦＤＭシンボルに及ぶ、請求項６に記載の装置。
【請求項８】
前記ビーム掃引ブロックは、１つ以上のビームを含む、請求項７に記載の装置。
【請求項９】
前記同期信号は、一次および／または二次同期信号を含み、各々は、シンボルタイミングを検出すること、サブキャリア間隔を検出すること、サブフレームインデックスを導出すること、サブフレームインデックスに対するシンボルを導出すること、前記物理ブロードキャストチャネルを取得すること、またはそれらの組み合わせを行うために採用されるそれ自体のシーケンスを有する、請求項７に記載の装置。
【請求項１０】
前記装置は、スマートフォン、タブレットおよびラップトップから選択される、請求項１に記載の装置。
【請求項１１】
５Ｇネットワーク上の装置であって、前記装置は、
非一過性メモリであって、前記非一過性メモリは、前記５Ｇネットワークにおいて初期アクセス信号の構成を実施するためのその上に記憶された命令を含む、非一過性メモリと、
前記非一過性メモリに動作可能に結合されているプロセッサと
を備え、
前記プロセッサは、
前記５Ｇネットワークにおいてセルの検索を実施することと、
前記セルの一次同期信号を検出することと、
前記セルの二次同期信号を識別することと、
前記セルと同期することと、
同期数秘術を使用して、前記セルの物理ブロードキャストチャネルをデコードすることと
を行う命令を実行可能であり、
サブキャリア間隔係数が、前記検出された一次同期信号または前記検出された第２の同期信号のいずれかから取得される、装置。
【請求項１２】
前記検出するステップは、
前記検出された一次同期信号を前記一次同期信号のために使用されるいくつかの可能な同期シーケンスと相互に関係づけることと、
前記相互に関係づけるステップに基づいて、セル識別を取得することと、
前記サブキャリア間隔係数を前記取得されたセル識別から導出することと
を含む、請求項１１に記載の装置。
【請求項１３】
前記識別するステップは、
前記識別された二次同期信号を前記二次同期信号のために使用されるいくつかの可能な同期シーケンスと相互に関係づけることと、
前記サブキャリア間隔係数を前記相互に関係づけるステップにおいて取得される最強ピークから導出することと
を含む、請求項１１に記載の装置。
【請求項１４】
前記プロセッサは、前記同期ステップに先立って、同期数秘術をノードにさらに提供可能である、請求項１１に記載の装置。
【請求項１５】
前記同期数秘術は、主要数秘術のためのサブキャリア間隔および巡回プレフィックス長を含み、前記主要数秘術は、１以上である、請求項１４に記載の装置。
【請求項１６】
前記主要数秘術は、巡回プレフィックス長、サブキャリア間隔、およびシンボル持続時間の物理層チャネルパラメータを含む、請求項１５に記載の装置。
【請求項１７】
前記一次または二次同期信号の周期性は、前記セルによってサポートされるアプリケーションに依存する、請求項１１に記載の装置。
【請求項１８】
前記物理ブロードキャストチャネルは、数秘術、物理ランダムアクセスチャネルリソース、ブロックタイミング指示、および復調をサポートするためのシステム情報を搬送する、請求項１１に記載の装置。
【請求項１９】
５Ｇネットワーク上でダウンリンク初期アクセス信号を構成する方法であって、前記方法は、
ダウンリンク掃引サブフレームの周期的伝送を監視することであって、前記サブフレームは、前記ダウンリンク初期アクセス信号を搬送するビーム掃引ブロックを含む、ことと、
同期チャネルを搬送する前記ダウンリンク初期アクセス信号を検出することと、
前記ビーム掃引ブロックと前記ダウンリンク掃引サブフレームとの間のタイミングオフセットを計算することと、
前記タイミングオフセットを補償することと
を含む、方法。
【請求項２０】
前記補償されたタイミングオフセットに基づいて、前記ダウンリンク初期アクセス信号に関連付けられた前記ビーム掃引ブロックの識別を決定することをさらに含む、請求項１９に記載の方法。
【発明の詳細な説明】
【技術分野】
【０００１】
（関連出願の引用）
本願は、米国仮特許出願６２／３２５，３２３号（２０１６年４月２０日出願、名称「Ｄｏｗｎｌｉｎｋ  Ｓｙｎｃｈｒｏｎｉｚａｔｉｏｎ  ｆｏｒ  ５Ｇ  Ｎｅｔｗｏｒｋｓ」）、米国仮特許出願６２／３７３，６６２号（２０１６年８月１１日出願、名称「Ｂｅａｍｆｏｒｍｉｎｇ  Ｓｗｅｅｐｉｎｇ  ａｎｄ  Ｔｒａｉｎｉｎｇ  ｉｎ  ａ  Ｆｌｅｘｉｂｌｅ  Ｆｒａｍｅ  Ｓｔｒｕｃｔｕｒｅ  ｆｏｒ  Ｎｅｗ  Ｒａｄｉｏ」）、米国仮特許出願６２／４０１，０５５号（２０１６年９月２８日出願、名称「Ｍｅｔｈｏｄｓ  ｆｏｒ  Ｄｙｎａｍｉｃ  Ｔｒａｎｓｍｉｓｓｉｏｎ  Ｍｏｄｅ  Ｓｗｉｔｃｈｉｎｇ  ａｎｄ  Ｉｎｉｔｉａｌ  Ａｃｃｅｓｓ  ｉｎ  Ｎｅｗ  Ｒａｄｉｏ」）、および、米国仮特許出願６２／４１７，１６２号（２０１６年１１月３日出願、名称「Ｂｅａｍ  Ｂａｓｅｄ  Ｍｏｂｉｌｉｔｙ  ａｎｄ  Ｂｅａｍ  Ｍａｎａｇｅｍｅｎｔ  ｉｎ  ＮＲ」）の優先権の利益を主張し、上記出願の全ては、それらの全体が参照により本明細書に引用される。
【０００２】
（分野）
本願は、ダウンリンク同期のための装置および方法を対象とする。
【背景技術】
【０００３】
（背景）
ダウンリンク同期（ＤＬ同期）は、限定ではないが、拡張モバイルブロードバンド（ｅＭＢＢ）、大量マシンタイプ通信（ｍＭＴＣ）および超高信頼／低遅延通信（ＵＲ／ＬＬ）を含む、５Ｇアプリケーションにとって重要である。特に、ＤＬ同期は、全ての５Ｇアプリケーションのためのシンボル、スロット、およびサブフレーム／フレームタイミングのためのプロビジョニング機構である。
【０００４】
伝搬遅延は、展開シナリオに依存する。例えば、屋外展開シナリオのための最大伝搬遅延は、４．０μｓである。一方、屋内展開シナリオのための最大伝搬遅延は、約０．４μｓである。しかしながら、３ＧＰＰ  ＬＴＥ／ＬＴＥ−Ａセル等の既存のシステムは、展開シナリオにかかわらず、同一巡回プレフィックス持続時間を採用する。既存のシステムは、したがって、多様なアプリケーションをハンドリングするために望ましくない。
【０００５】
５Ｇシステムは、伝送時間インターバル（ＴＴＩ）およびサブキャリア間隔等の種々の数秘術をサポートするが、５Ｇユーザ機器（ＵＥ）をサポートし、セル検索段階において、ＤＬシンボル、フレームタイミング、およびセル識別を入手するためのプロトコルは、利用不可能である。現在のＤＬ同期設計に基づいて、５Ｇ  ＵＥは、サポートされる数秘術を盲目的に検出することができない。
【０００６】
別個に、ＵＥは、無線リソース制御（ＲＲＣ）−アイドルまたはＲＲＣ−接続状態におけるセル再選択のために近隣セル測定を実施する必要がある。再選択は、近隣セルＤＬ同期信号の数秘術の知識を要求する。しかしながら、５Ｇシステムでは、異なるＤＬ同期信号数秘術が、異なるセルにおいて使用され得る。５Ｇシステム内で近隣セル測定を改良する方法が、所望される。
【０００７】
ｅＭＢＢ、ｍＭＴＣ、およびＵＲ／ＬＬ等のアプリケーションは、異なる待ち時間および電力節約要件を呈する。ＤＬ同期信号設計およびセル検索プロシージャが、５Ｇシステム内でこれらの要件をサポートするために必要とされる。
【０００８】
新しい無線（ＮＲ）アクセス技術は、システムが周波数最大１００ＧＨｚで動作するために必要とされる技術コンポーネントを識別および開発することに役立つ。例えば、３ＧＰＰ  ＴＲ３８．９１３，  Ｓｔｕｄｙ  ｏｎ  Ｓｃｅｎａｒｉｏｓ  ａｎｄ  Ｒｅｑｕｉｒｅｍｅｎｔｓ  ｆｏｒ  Ｎｅｘｔ  Ｇｅｎｅｒａｔｉｏｎ  Ａｃｃｅｓｓ  Ｔｅｃｈｎｏｌｏｇｉｅｓ；（リリース１４），Ｖ０．３．０ならびにＲＰ−１６１２１４，  Ｒｅｖｉｓｉｏｎ  ｏｆ  ＳＩ：Ｓｔｕｄｙ  ｏｎ  ＮＲ  Ａｃｃｅｓｓ  Ｔｅｃｈｎｏｌｏｇｙ，  ＮＴＴ  ＤＯＣＯＭＯを参照されたい。これらの高周波数ＮＲ（ＨＦ−ＮＲ）システム内で増加させられるパス損失を補償するために、ビーム形成が、広く使用されることが予期される。しかしながら、全方向性またはセクタベースの伝送に基づく、ＤＬ同期、基準信号、およびＰＢＣＨ設計等の既存の初期アクセス信号設計は、ビーム形成ベースのアクセスのために要求される機能（例えば、ビーム掃引、ビームペアリング、ビーム訓練等）をサポートしない。
【０００９】
現在のネットワークアクセスプロシージャは、無指向性伝送またはセクタベースの伝送に基づく。例えば、これは、セル検索プロシージャおよび後続物理ブロードキャストチャネル（ＰＢＣＨ）入手を含み得る。しかしながら、ビーム形成ベースのアクセスのためのいくつかの機能は、既存の無指向性またはセクタベースの伝送アクセスプロシージャによってサポートされない。これらの機能のうちの１つは、アイドル状態におけるビーム形成ペア決定を含む。別の機能は、ビーム形成訓練フィードバックおよびビーム形成訓練基準信号（ＢＴ−ＲＳ）伝送、例えば、ＲＲＣ接続設定の前、間、または後に実施すべきかどうかを含む。さらに別の機能は、時間および周波数に照らした、ビーム形成（ＢＦ）訓練フィードバックのためのアップリンク（ＵＬ）チャネルのリソースを含む。さらなる機能は、ビーム形成ベースのＰＢＣＨ検出を含む。
【発明の概要】
【課題を解決するための手段】
【００１０】
（要約）
本概要は、以下の発明を実施するための形態においてさらに説明される、一連の概念を簡略化された形態において導入するために提供される。本概要は、請求される主題の範囲を限定することを意図するものではない。前述の必要性は、ＤＬ同期のためのプロセスおよび装置を対象とする本願によって、大部分が満たされる。
【００１１】
本願の一側面では、５Ｇネットワーク上の装置が、開示される。装置は、５Ｇネットワークにおいて初期アクセス信号の構成を実施するためのその上に記憶された命令を含む、非一過性メモリを含む。装置はまた、非一過性メモリに動作可能に結合され、ダウンリンク初期アクセス信号を搬送するビーム掃引ブロックを含む、ダウンリンク掃引サブフレームの伝送を監視する命令を実行可能である、プロセッサを含む。プロセッサは、同期信号を搬送するダウンリンク初期アクセス信号を検出する命令を実行することも可能である。プロセッサは、同期信号に基づいて、ダウンリンク初期アクセス信号に関連付けられたビーム掃引ブロックの識別を決定する命令を実行することも可能である。
【００１２】
本願の別の側面では、５Ｇネットワーク上の装置は、主要数秘術を５Ｇネットワーク内でセルと同期されるノードに割り当てるためのその上に記憶された命令を含む、非一過性メモリを備えているように説明される。装置はまた、非一過性メモリに動作可能に結合される、プロセッサを含む。プロセッサは、セルのマスタ情報ブロックをノードに伝送する命令を実施可能である。プロセッサはまた、ネットワーク負荷、ノード場所、ノードのためのネットワークスライシング構成、およびそれらの組み合わせから選択された基準に基づいて、主要数秘術をノードに割り当て可能である。
【００１３】
さらに別の側面によると、ＤＬ初期アクセス信号は、ＤＬ同期チャネル（信号）、ビーム基準信号、およびＰＢＣＨチャネルを含み、ＤＬ初期アクセス信号は、ＤＬビーム掃引ブロックによって搬送され、各ビーム掃引ブロックは、単一直交周波数分割多重化（ＯＦＤＭ）または複数のＯＦＤＭシンボルのいずれかを含み、ＤＬビーム掃引サブフレームは、複数のビーム掃引ブロックを含み、ＤＬ同期チャネルＰＳＳおよびＳＳＳは、異なるＯＦＤＭシンボルに設置されることができ、ビーム掃引ブロックは、１つのみのＤＬ同期チャネルを含み、ビーム基準信号およびＰＢＣＨは、同一ＯＦＤＭシンボルまたは異なるＯＦＤＭシンボル内に共存し得、ＰＢＣＨは、ＤＬ同期チャネルおよびビーム基準信号と異なる伝送期間を有する。ＤＬ同期チャネルが、セルおよびビームＩＤの両方を搬送する場合、ＵＥは、検出されるべきＤＬビーム掃引ブロックを検出し、検出されたビーム掃引ブロックとＤＬ掃引サブフレームとの間のタイミングオフセットを計算することが可能である。ＤＬ同期チャネルが、セルＩＤのみを搬送する場合、ＵＥは、ビームＩＤをビーム基準信号から検出することができる。したがって、ＵＥは、検出されるべきＤＬビーム掃引ブロックを把握することができ、検出されたビーム掃引ブロックとＤＬ掃引サブフレームとの間のタイミングオフセットを計算することが可能である。
【００１４】
したがって、その詳細な説明がより深く理解され得るために、かつ当該技術分野への本寄与がより深く認識され得るために、本発明のある実施形態が、かなり広義に概略された。
【００１５】
本願のより確固たる理解を促進するために、ここで、同様の要素が同様の番号を用いて参照される、付随の図面を参照する。これらの図面は、本願を限定するものと解釈されるべきではなく、例証のみとして意図される。
【図面の簡単な説明】
【００１６】
【図１】図１は、狭帯域ＩＯＴのための狭帯域一次同期信号および狭帯域二次同期信号伝送の時間ドメイン場所を図示する。
【図２Ａ】図２Ａは、５Ｇにおける例示的スケーラブル伝送時間インターバルを図示する。
【図２Ｂ】図２Ｂは、時間−周波数リソースグリッドにおいて多重化された複数の数秘術を図示する。
【図３Ａ】図３Ａは、本願のある実施形態による、例示的通信システムを図示する。
【図３Ｂ】図３Ｂは、本願のある実施形態による、無線通信のために構成される例示的装置を図示する。
【図３Ｃ】図３Ｃは、本願のある実施形態による、無線アクセスネットワークおよびコアネットワークの系統図を図示する。
【図３Ｄ】図３Ｄは、本願の別の実施形態による、無線アクセスネットワークおよびコアネットワークの系統図を図示する。
【図３Ｅ】図３Ｅは、本願のさらに別の実施形態による、無線アクセスネットワークおよびコアネットワークの系統図を図示する。
【図３Ｆ】図３Ｆは、本願のある実施形態による、上記図３Ａ、３Ｃ、３Ｄおよび３Ｅに示される１つ以上のネットワークと通信する例示的コンピューティングシステムのブロック図を図示する。
【図４】図４Ａ−Ｂは、本願のある実施形態による、異なるサブキャリア間隔のための例示的ダウンリンク同期シーケンス周波数配分を図示する。
【図５】図５は、本願のある実施形態による、例示的二次同期信号検出機能略図を図示する。
【図６】図６Ａ−Ｄは、本願のある実施形態による、例示的二次同期信号ダウンリンク同期シーケンス周波数配分を図示する。
【図７Ａ】図７Ａは、本願のある実施形態による、一次同期信号に組み込まれるスケーラブルサブキャリア間隔係数をサポートする５Ｇにおける例示的初期同期プロシージャを図示する。
【図７Ｂ】図７Ｂは、本願のある実施形態による、二次同期信号に組み込まれるスケーラブルサブキャリア間隔係数をサポートする５Ｇにおける例示的初期同期プロシージャを図示する。
【図８】図８は、本願のある実施形態による、例示的ＣＡＺＡＣシーケンスを図示する。
【図９】図９は、本願のある実施形態による、新しい無線におけるフレキシブルなフレーム構造を図示する。
【図１０Ａ】図１０Ａ−Ｃは、本願のある実施形態による、ビーム掃引技法を図示する。
【図１０Ｂ】図１０Ａ−Ｃは、本願のある実施形態による、ビーム掃引技法を図示する。
【図１０Ｃ】図１０Ａ−Ｃは、本願のある実施形態による、ビーム掃引技法を図示する。
【図１１】図１１は、本願のある実施形態による、２つの異なる数秘術を用いた新しい無線内の２つのビーム形成訓練基準信号（ＢＴ−ＲＳ）を図示する。
【図１２】図１２は、本願のある実施形態による、２つの異なる数秘術を用いた新しい無線内の共有ＢＴ−ＲＳを図示する。
【図１３Ａ】図１３Ａは、本願のある実施形態による、自己完結型サブフレーム内の所定のＢＴ−ＲＳ構成を図示する。
【図１３Ｂ】図１３Ｂは、本願のある実施形態による、自己完結型サブフレーム内の半静的に構成されるＢＴ−ＲＳ構成を図示する。
【図１４】図１４Ａ−Ｂは、単一（ａ）およびマルチビーム（ｂ）実装のための例示的初期アクセスを図示する。
【図１５】図１５は、ＤＬ初期アクセスのための例示的ＤＬ掃引ブロックおよびサブフレームを図示する。
【図１６Ａ】図１６Ａ−Ｂは、１つのＯＦＤＭおよび複数のＯＦＤＭシンボルのうちの１つを伴う、例示的掃引ブロックを図示する。
【図１６Ｂ】図１６Ａ−Ｂは、１つのＯＦＤＭおよび複数のＯＦＤＭシンボルのうちの１つを伴う、例示的掃引ブロックを図示する。
【図１７】図１７Ａ−Ｂは、掃引ブロックあたりで有効にされる複数のビームを伴う例示的掃引サブフレームを図示する。
【図１８】図１８は、例示的ＤＬ自己完結型掃引サブフレーム構造を図示する。
【図１９】図１９は、ビームＩＤ検出のために使用される例示的ＴＳＳを図示する。
【図２０】図２０は、検出されたビーム掃引ブロックからビーム掃引サブフレームへの例示的タイミングオフセットを図示する。
【図２１Ａ】図２１Ａは、ＤＬ初期アクセスのための例示的ＤＬ掃引ブロックおよびバーストを図示する。
【図２１Ｂ−１】図２１Ｂ（ｉ）−（ｉｉｉ）は、本願のある実施形態による、ＯＦＤＭシンボルのうちの１つを伴う、ＤＬ掃引ブロックを図示する。
【図２１Ｂ−２】図２１Ｂ（ｉ）−（ｉｉｉ）は、本願のある実施形態による、ＯＦＤＭシンボルのうちの１つを伴う、ＤＬ掃引ブロックを図示する。
【図２１Ｂ−３】図２１Ｂ（ｉ）−（ｉｉｉ）は、本願のある実施形態による、ＯＦＤＭシンボルのうちの１つを伴う、ＤＬ掃引ブロックを図示する。
【図２１Ｃ】図２１Ｃ（ｉ）−（ｉｉｉ）は、本願のある実施形態による、複数のＯＦＤＭシンボルを伴うＤＬ掃引ブロックを図示する。
【図２２】図２２は、本願のある実施形態による、共通同期数秘術を有する複数のセルを伴うネットワークを図示する。
【図２３】図２３は、本願のある実施形態による、主要数秘術を検出するための例示的プロシージャを図示する。
【図２４】図２４は、本願のある実施形態による、近隣セルとの信号フロー同期プロシージャを図示する。
【図２５】図２５Ａ−Ｂは、本願のある実施形態による、複数のＯＦＤＭシンボル（ＮＲ−ＰＢＣＨとの関連付けを伴わない）を伴う、ＤＬ掃引ブロックを図示する。
【図２６】図２６Ａ−Ｃは、本願のある実施形態による、ＮＲ−ＰＢＣＨのための例示的復調基準信号を図示する。
【図２７】図２７Ａ−Ｃは、本願のある実施形態による、ビームＩＤ検出のために使用される例示的ＢＴ−ＲＳを図示する。
【図２８】図２８は、本願の自己完結型サブフレーム内のＢＴ−ＲＳビーム識別および関連付けビームシーケンスの例示的実施形態を図示する。
【図２９】図２９は、本願のＢＴ−ＲＳビーム識別デコードおよび同期検出実施形態を図示する。
【図３０】図３０は、セクタビームおよび複数の高利得狭ビームを伴うセル対象範囲を図示する。
【図３１】図３１は、本願による、ＰＢＣＨがビーム伝送とペアリングされるときのビーム形成訓練のためのユーザ機器（ＵＥ）初期アクセスプロシージャの例示的実施形態を図示する。
【図３２】図３２は、本願のある実施形態による、フレーム構造内のＢＴ−ＲＳおよびＰＢＣＨの場所を図示する。
【図３３】図３３は、本願のある実施形態による、種々のサブキャリア間隔に依存するダウンリンク同期ブロードキャスト周期を図示する。
【発明を実施するための形態】
【００１７】
（例示的実施形態の詳細な説明）
発明を実施するための形態は、本明細書の種々の図、実施形態、および側面を参照して議論されるであろう。本説明は、可能な実装の詳細な実施例を提供するが、詳細は、実施例であることが意図され、したがって、本願の範囲を限定しないことを理解されたい。
【００１８】
本明細書における「一実施形態」、「ある実施形態」、「１つ以上の実施形態」、「ある側面」等の言及は、実施形態に関連して説明される特定の特徴、構造、または特性が、本開示の少なくとも一実施形態に含まれることを意味する。さらに、本明細書内の種々の場所における用語「実施形態」は、必ずしも、同一実施形態を参照するわけではない。すなわち、いくつかの実施形態によって呈され得るが、他の実施形態によっては呈され得ない、種々の特徴が、説明される。
【００１９】
概して、本願は、少なくとも、５Ｇシステムにおける１つ以上の数秘術の効率的ＤＬ同期のための機構を対象とする。一側面では、周波数リソース配分方法およびシステムが、５Ｇ  ＤＬ同期のために採用される。これらの機構は、スケーラブルサブキャリア間隔をサポートすることに役立つ。ある実施形態では、ＤＬ同期チャネルが５Ｇセルによってサポートされる最小サブキャリア間隔を採用する、方法が、説明される。例えば、それぞれ、サブキャリア間隔Δｆ、２Δｆ、および４Δｆをサポートする、
、３つの５Ｇアプリケーションが存在する場合、ＤＬ同期は、それらのアプリケーションのために、Δｆ＝ｍｉｎ｛Δｆ，２Δｆ，４Δｆ｝うちの最小サブキャリア間隔を使用するであろう。
【００２０】
別の実施形態では、ＤＬ同期がそれ自体のデフォルトサブキャリア間隔を伴うセルをサポートする、方法が、説明される。例えば、これは、展開シナリオ、例えば、屋内対屋外、スモールセル対ピコセル等に依存し得る。その結果、５Ｇ  ＵＥは、
【数１】
2019517182.tif 000003
に関するサブキャリア間隔に基づいて、タイミング同期および入手を盲目的に実施することが可能であるべきである。本願によると、スケーラブルサブキャリア間隔パラメータｙは、一次同期信号（ＰＳＳ）または二次同期信号（ＳＳＳ）のいずれか上で搬送されることができる。さらに別の実施形態によると、５Ｇ  ＵＥが、ＤＬ同期チャネルのために使用されるサブキャリア間隔（例えば、ＰＳＳおよび／またはＳＳＳ）にかかわらず、盲目的タイミングおよび周波数入手を実施することを可能にする、スケーラブルＤＬ同期チャネル設計が想定される。
【００２１】
本願の別の側面によると、共通分母数秘術を使用してＤＬ同期チャネルを設計する方法およびアーキテクチャが、提供される。すなわち、共通分母は、ネットワーク内の全てのセルを横断してサポートされる。その結果、全ての他の数秘術は、共通分母数秘術から導出されることができる。ある実施形態によると、セル内の他のサポートされるシステム数秘術の情報、例えば、サブキャリア間隔、シンボル持続時間、およびＴＴＩ長は、物理ブロードキャストチャネル（ＰＢＣＨ）内のマスタ情報ブロック（ＭＩＢ）の中でブロードキャストされ得る。ＤＬタイミングおよび周波数を正常に取得することに応じて、ＵＥは、ＰＢＣＨ（ＭＩＢ）をデコードすることによって、他のサポートされるシステム数秘術の情報を入手するであろう。別の実施形態によると、５Ｇシステムは、近隣セルリストを採用し、近隣セルのＤＬ同期信号数秘術の情報をＵＥに提供し得ることが想定される。
【００２２】
本願のさらに別の側面によると、進化型ノード基地局が異なる周期性を伴うＤＬ同期信号を伝送し得る、方法およびアーキテクチャが想定される。周期性は、タイミング要件に依存し得る。なおもさらに別の側面では、５Ｇ  ＵＥは、適切な検出プロシージャを実施し、異なる周期性を有するｅＮＢｓから受信されたＤＬ同期信号を処理し、そのＤＬタイミングおよび周波数を入手するであろう。
【００２３】
本願の一側面では、５Ｇネットワーク上の装置は、５Ｇネットワーク内でセルのダウンリンク同期を実施するためのその上に記憶された命令を含む、非一過性メモリを含むように説明される。装置はまた、非一過性メモリに動作可能に結合される、プロセッサを含む。プロセッサは、５Ｇネットワークにおいてセルの検索を実施する命令を実施可能である。プロセッサはまた、セルの一次同期信号を検出可能である。プロセッサはまた、セルの二次同期信号を検出可能である。プロセッサはまた、セルと同期可能である。さらに、プロセッサは、同期数秘術を使用して、セルの物理ブロードキャストチャネルをデコード可能である。特に、サブキャリア間隔係数は、検出された一次同期信号または検出された第２の同期信号のいずれかから取得される。
【００２４】
本願のさらに別の側面は、近隣セルとの同期を実施するためのその上に記憶された命令を含む、非一過性メモリを備えている、５Ｇネットワーク上の装置を対象とする。装置はまた、非一過性メモリに動作可能に結合される、プロセッサを含む。プロセッサは、第１のセルに接続される装置を提供する命令を実施可能である。プロセッサはまた、第１のセルのシステム情報ブロックをデコード可能である。プロセッサはまた、近隣セルの同期数秘術を含む、システム情報ブロックを決定可能である。プロセッサはまた、近隣セルの一次および二次同期信号検出を実施可能である。さらに、プロセッサは、近隣セルと同期可能である。
【００２５】
（定義／頭字語）
以下の表１では、本願で一般に使用される用語および語句のための定義が、提供される。
【表１−１】
2019517182.tif 000004
【表１−２】
2019517182.tif 000005
【００２６】
（３ＧＰＰリリース１４におけるより短いＴＴＩのサポート）
現在の３ＧＰＰ  ４Ｇ／４．５Ｇシステムでは、分解能は、より短いＴＴＩをサポートするためのものである。より短いＴＴＩ長は、複数のＯＦＤＭシンボル持続時間と等しいと定義される。したがって、３ＧＰＰリリース１４におけるより短いＴＴＩの一般式は、以下のように表されることができる。
【数１−１】
2019517182.tif 000006
【００２７】
式中、ｘ＝１、２、３、４、７、１４、通常ＣＰケースに関してＴｃｐ＝（ｚ＝１）＝４．７μｓおよび拡張ＣＰケースに関しててＴｃｐ＝（ｚ＝２）＝１６．６７μｓ、ならびに４Ｇではサブキャリア間隔Δｆ＝１５ＫＨｚである。
【００２８】
（ＮＢ−ＩｏＴのためのセル検索）
ＮＢ−ＩｏＴは、３ＧＰＰリリース１３における作業項目であって、ＮＢ−ＩｏＴのためのＤＬ同期設計の詳細は、依然として、３ＧＰＰリリース１４における議論下にある。ＮＢ−ＩｏＴにおけるＤＬ同期信号のためのパス転送は、狭帯域ＰＳＳ（ＮＢ−ＰＳＳ）がＬＴＥにおけるようにセル識別の情報を提供しないものである。ＮＢ−ＰＳＳは、時間同期を提供する。これは、周波数オフセット（ＦＯ）を推定および補償するために使用される。ＮＢ−ＰＳＳが、周波数ドメイン内で生成され、時間的に
ＮＰＳＳＯＦＤＭシンボルを横断して拡散される。ＮＢ−ＰＳＳは、長ＮＺＣおよびルートＵｊを伴うＺａｄｏｆｆ−Ｃｈｕ（ＺＣ）シーケンスから成り、各ＮＢ−ＰＳＳ（ｎ）は、以下のように表されることができる。
【数２】
2019517182.tif 000007
【００２９】
式中、ＮＺＣは、シーケンス長であって、ＮＺＣ＝１１である。ＯＦＤＭシンボルはそれぞれ、一意のルートインデックスに対応するシーケンスを搬送する。ＮＰＳＳ（ＮＺＣ＝１１）に関して、シンボルは、ＮＢ−ＰＳＳ伝送のために、ｉ番目のシンボル（ｉ＝１，２、・・・、ＮＰＳＳ）毎に、サブフレーム内で伝送され、そのルートインデックスは、ｕｊである。ＮＰＳＳシンボルのためのＮＢ−ＰＳＳシーケンスは、時間的に１０ｍｓ毎に繰り返される。ＮＢ−ＰＳＳおよびＮＢ−ＳＳＳ伝送の時間ドメイン場所は、図１に図示される。ＮＢ−ＳＳに関して、これは、依然として、Ｒ１４における議論下にあって、ＮＢ−ＳＳＳ設計方法のうちの１つは、スクランブリングシーケンスを用いたＺＣシーケンスマスキングに基づく。
【００３０】
（近隣セル検索）
ＵＥが、セル再選択およびハンドオーバを促進するために測定を実施するとき、システム情報を使用して、近隣セルについての情報を得てもよい。例えば、ＬＴＥでは、ＳＩＢ−４およびＳＩＢ−５は、周波数内および周波数間帯域内で近隣セルについての情報を提供する。ＳＩＢ−４についてのさらなる情報は、以下の表２、３、および４に提供される。
【００３１】
ＩＥ  ＳｙｓｔｅｍＩｎｆｏｒｍａｔｉｏｎＢｌｏｃｋＴｙｐｅ４は、周波数内セル再選択のためにのみ関連する近隣セル関連情報を含む。ＩＥは、具体的再選択パラメータを伴うセルならびにブラックリストセルを含む。
【表２】
2019517182.tif 000008
【表３】
2019517182.tif 000009
【表４】
2019517182.tif 000010
【００３２】
（ＳｙｓｔｅｍＩｎｆｏｒｍａｔｉｏｎＢｌｏｃｋＴｙｐｅ５（ＳＩＢ−５））
ＩＥ  ＳｙｓｔｅｍＩｎｆｏｒｍａｔｉｏｎＢｌｏｃｋＴｙｐｅ５は、周波数間セル再選択のためにのみ関連する情報、すなわち、セル再選択のために関連する他のＥ−ＵＴＲＡ周波数および周波数間近隣セルについての情報を含む。ＩＥは、周波数のために共通のセル再選択パラメータならびにセル具体的再選択パラメータを含む。これは、以下の表５に示される。
【表５−１】
2019517182.tif 000011
【表５−２】
2019517182.tif 000012
【表５−３】
2019517182.tif 000013
【００３３】
（５Ｇ  ＴＴＩ）
５Ｇシステムは、一般化されたスケーラブル数秘術およびＴＴＩ、すなわち、異なるユースケースのための最適化された多重アクセスをサポートする必要がある。故に、５Ｇにおける一般化されたスケーラブルＴＴＩは、スケーラブルシンボル時間係数ｘ、スケーラブルサブキャリア間隔係数ｙ、およびガードインターバルＴｇｕａｒｄ（ｚ）（これは、ＯＦＤＭシンボル波形に関して巡回プレフィックスと命名され得る）等の３つのスケーラブルパラメータとして表されることができる。故に、５Ｇ  ＴＴＩ持続時間は、以下の方程式において表されることができる。
【数３】
2019517182.tif 000014
【００３４】
式中、ｘ、ｙ、ｚは、正の整数であることができ、Δｆは、５Ｇにおいて使用される最小サブキャリア間隔である。実施例として、最小サブキャリア間隔Δｆ＝７．５ｋＨｚを設定する場合、シンボルインターバルは、
【数３−１】
2019517182.tif 000015
と等しい。５Ｇでは、サブキャリア間隔は、多様な展開、拡散帯域幅、およびシンボル持続時間に適応することができる。加えて、Ｔｇｕａｒｄ（ｚ）は、現在のＬＴＥシステムでは、２つを上回る明確に異なる値に設定され、多様な展開または伝搬遅延に適応することができる。例えば、５Ｇユースケース／アプリケーションのためのＰＨＹ数秘術の例示的セットは、以下の表６に示される。
【表６】
2019517182.tif 000016
【００３５】
ＦＦＴサイズ、サブキャリア間隔、ＣＰサイズ（またはガードインターバル）、パルス成形フィルタ、およびＴＴＩ長等の種々の（スケーラブル）数秘術を使用した５Ｇ送信機の実施例は、図２Ａに描写される。
【００３６】
上記の表２Ｂに基づいて時間−周波数リソースグリッド内で多重化される５Ｇ数秘術の実施例は、図２Ｂに図示される。具体的には、異なるサブ帯域内で多重化するか、または周波数リソース内で部分的に重複されるかのいずれかである、３つの数秘術が、存在する。加えて、５Ｇは、異なる数秘術が時間ドメインでも同様に多重化することを可能にすることができる。
【００３７】
（一般的アーキテクチャ）
第３世代パートナーシッププロジェクト（３ＧＰＰ）は、無線アクセス、コアトランスポートネットワーク、およびサービス能力（コーデック、セキュリティ、およびサービスの質に関する作業を含む）を含む、セルラー電気通信ネットワーク技術のための技術的規格を開発している。最近の無線アクセス技術（ＲＡＴ）規格は、ＷＣＤＭＡ（登録商標）（一般に、３Ｇと称される）、ＬＴＥ（一般に、４Ｇと称される）、およびＬＴＥ−アドバンスト規格を含む。３ＧＰＰは、「５Ｇ」とも称される、新しい無線（ＮＲ）と呼ばれる、次世代セルラー技術の標準化に関する作業を開始している。３ＧＰＰ  ＮＲ規格開発は、次世代無線アクセス技術（新しいＲＡＴ）の定義を含むことが予期され、これは、６ＧＨｚを下回る新しいフレキシブルな無線アクセスの提供と、６ＧＨｚを上回る新しいウルトラモバイルブロードバンド無線アクセスの提供とを含むことが予期される。フレキシブルな無線アクセスは、６ＧＨｚを下回る新しいスペクトルにおける新しい非後方互換性無線アクセスから成ることが予期され、同一スペクトル内でともに多重化され、多様な要件を伴う広範な３ＧＰＰ  ＮＲユースケースのセットに対処し得る、異なる動作モードを含むことが予期される。ウルトラモバイルブロードバンドは、ウルトラモバイルブロードバンドアクセス、例えば、屋内アプリケーションおよびホットスポットの機会を提供するであろう、ｃｍ波およびｍｍ波スペクトルを含むことが予期される。特に、ウルトラモバイルブロードバンドは、ｃｍ波およびｍｍ波特有設計最適化を伴って、共通設計フレームワークを６ＧＨｚを下回るフレキシブル無線アクセスと共有することが予期される。
【００３８】
３ＧＰＰは、データレート、待ち時間、およびモビリティのための様々なユーザ体験要件をもたらす、ＮＲがサポートすることが予期される、種々のユースケースを識別している。ユースケースは、以下の一般的カテゴリ、すなわち、拡張モバイルブロードバンド（例えば、高密度エリアにおけるブロードバンドアクセス、屋内超高ブロードバンドアクセス、群集の中のブロードバンドアクセス、あらゆる場所における５０＋Ｍｂｐｓ、超低コストブロードバンドアクセス、車両内のモバイルブロードバンド）、重要通信、大量マシンタイプ通信、ネットワーク動作（例えば、ネットワークスライシング、ルーティング、移行およびインターワーキング、エネルギー節約）、および拡張された車両とあらゆるもの（ｅＶ２Ｘ）間の通信を含む。これらのカテゴリにおける具体的サービスおよびアプリケーションは、いくつか挙げると、例えば、監視およびセンサネットワーク、デバイス遠隔制御、双方向遠隔制御、パーソナルクラウドコンピューティング、ビデオストリーミング、無線クラウドベースのオフィス、緊急対応者コネクティビティ、自動車ｅコール、災害アラート、リアルタイムゲーム、多人数ビデオコール、自律運転、拡張現実、触知インターネット、および仮想現実を含む。これらのユースケースおよびその他は全て、本明細書で検討される。
【００３９】
図３Ａは、本明細書で説明および請求される方法および装置が具現化され得る、例示的通信システム１００の一実施形態を図示する。示されるように、例示的通信システム１００は、無線伝送／受信ユニット（ＷＴＲＵ）１０２ａ、１０２ｂ、１０２ｃ、および／または１０２ｄ（概して、または集合的に、ＷＴＲＵ１０２と称され得る）と、無線アクセスネットワーク（ＲＡＮ）１０３／１０４／１０５／１０３ｂ／１０４ｂ／１０５ｂと、コアネットワーク１０６／１０７／１０９と、公衆交換電話ネットワーク（ＰＳＴＮ）１０８と、インターネット１１０と、他のネットワーク１１２とを含み得るが、開示される実施形態は、任意の数のＷＴＲＵ、基地局、ネットワーク、および／またはネットワーク要素を検討することを理解されるであろう。ＷＴＲＵ１０２ａ、１０２ｂ、１０２ｃ、１０２ｄ、１０２ｅはそれぞれ、無線環境で動作および／または通信するように構成される、任意のタイプの装置またはデバイスであり得る。各ＷＴＲＵ１０２ａ、１０２ｂ、１０２ｃ、１０２ｄ、１０２ｅは、ハンドヘルド無線通信装置として図３Ｅに描写されるが、５Ｇ無線通信のために検討される様々なユースケースに伴って、各ＷＴＲＵは、一例にすぎないが、ユーザ機器（ＵＥ）、移動局、固定またはモバイルサブスクライバユニット、ポケベル、セルラー電話、携帯情報端末（ＰＤＡ）、スマートフォン、ラップトップ、タブレット、ネットブック、ノートブックコンピュータ、パーソナルコンピュータ、無線センサ、消費者電子機器、スマートウォッチまたはスマート衣類等のウェアラブルデバイス、医療またはｅ健康デバイス、ロボット、産業機器、ドローン、車、トラック、電車、または飛行機等の車両等を含む、無線信号を伝送および／または受信するように構成される任意のタイプの装置またはデバイスを備えている、またはそのように具現化され得ることを理解されるであろう。
【００４０】
通信システム１００はまた、基地局１１４ａと、基地局１１４ｂとを含み得る。基地局１１４ａは、ＷＴＲＵ１０２ａ、１０２ｂ、１０２ｃのうちの少なくとも１つと無線でインターフェースをとり、コアネットワーク１０６／１０７／１０９、インターネット１１０、および／または他のネットワーク１１２等の１つ以上の通信ネットワークへのアクセスを促進するように構成される、任意のタイプのデバイスであり得る。基地局１１４ｂは、ＲＲＨ（遠隔無線ヘッド）１１８ａ、１１８ｂおよび／またはＴＲＰ（伝送および受信点）１１９ａ、１１９ｂのうちの少なくとも１つと有線および／または無線でインターフェースをとり、コアネットワーク１０６／１０７／１０９、インターネット１１０、および／または他のネットワーク１１２等の１つ以上の通信ネットワークへのアクセスを促進するように構成される、任意のタイプのデバイスであり得る。ＲＲＨ１１８ａ、１１８ｂは、ＷＴＲＵ１０２ｃのうちの少なくとも１つと無線でインターフェースをとり、コアネットワーク１０６／１０７／１０９、インターネット１１０、および／または他のネットワーク１１２等の１つ以上の通信ネットワークへのアクセスを促進するように構成される、任意のタイプのデバイスであり得る。ＴＲＰ１１９ａ、１１９ｂは、ＷＴＲＵ１０２ｄのうちの少なくとも１つと無線でインターフェースをとり、コアネットワーク１０６／１０７／１０９、インターネット１１０、および／または他のネットワーク１１２等の１つ以上の通信ネットワークへのアクセスを促進するように構成される、任意のタイプのデバイスであり得る。一例として、基地局１１４ａ、１１４ｂは、送受信機基地局（ＢＴＳ）、Ｎｏｄｅ−Ｂ、ｅＮｏｄｅＢ、ホームＮｏｄｅ  Ｂ、ホームｅＮｏｄｅ  Ｂ、サイトコントローラ、アクセスポイント（ＡＰ）、無線ルータ等であり得る。基地局１１４ａ、１１４ｂはそれぞれ単一要素として描写されるが、基地局１１４ａ、１１４ｂは、任意の数の相互接続される基地局および／またはネットワーク要素を含み得ることを理解されたい。
【００４１】
基地局１１４ａは、ＲＡＮ１０３／１０４／１０５の一部であり得、基地局コントローラ（ＢＳＣ）、無線ネットワークコントローラ（ＲＮＣ）、中継ノード等の他の基地局および／またはネットワーク要素（図示せず）を含み得る。基地局１１４ｂは、ＲＡＮ１０３ｂ／１０４ｂ／１０５ｂの一部であり得、これはまた、基地局コントローラ（ＢＳＣ）、無線ネットワークコントローラ（ＲＮＣ）、中継ノード等の他の基地局および／またはネットワーク要素（図示せず）を含み得る。基地局１１４ａは、セル（図示せず）と称され得る、特定の地理的領域内で無線信号を伝送および／または受信するように構成され得る。基地局１１４ｂは、セル（図示せず）と称され得る、特定の地理的領域内で有線および／または無線信号を伝送および／または受信するように構成され得る。セルはさらに、セルセクタに分割され得る。例えば、基地局１１４ａに関連付けられたセルは、３つのセクタに分割され得る。したがって、ある実施形態では、基地局１１４ａは、例えば、セルのセクタ毎に１つの３つの送受信機を含み得る。ある実施形態では、基地局１１４ａは、多入力多出力（ＭＩＭＯ）技術を採用し得、したがって、セルのセクタ毎に複数の送受信機を利用し得る。
【００４２】
基地局１１４ａは、任意の好適な無線通信リンク（例えば、無線周波数（ＲＦ）、マイクロ波、赤外線（ＩＲ）、紫外線（ＵＶ）、可視光、ｃｍ波、ｍｍ波等）であり得る、エアインターフェース１１５／１１６／１１７を経由して、ＷＴＲＵ１０２ａ、１０２ｂ、１０２ｃのうちの１つ以上のものと通信し得る。エアインターフェース１１５／１１６／１１７は、任意の好適な無線アクセス技術（ＲＡＴ）を使用して確立され得る。
【００４３】
基地局１１４ｂは、任意の好適な有線（例えば、ケーブル、光ファイバ等）または無線通信リンク（例えば、無線周波数（ＲＦ）、マイクロ波、赤外線（ＩＲ）、紫外線（ＵＶ）、可視光、ｃｍ波、ｍｍ波等）であり得る、有線またはエアインターフェース１１５ｂ／１１６ｂ／１１７ｂを経由して、ＲＲＨ１１８ａ、１１８ｂおよび／またはＴＲＰ１１９ａ、１１９ｂのうちの１つ以上のものと通信し得る。エアインターフェース１１５ｂ／１１６ｂ／１１７ｂは、任意の好適な無線アクセス技術（ＲＡＴ）を使用して確立され得る。
【００４４】
ＲＲＨ１１８ａ、１１８ｂおよび／またはＴＲＰ１１９ａ、１１９ｂは、任意の好適な無線通信リンク（例えば、無線周波数（ＲＦ）、マイクロ波、赤外線（ＩＲ）、紫外線（ＵＶ）、可視光、ｃｍ波、ｍｍ波等）であり得る、エアインターフェース１１５ｃ／１１６ｃ／１１７ｃを経由して、ＷＴＲＵ１０２ｃ、１０２ｄのうちの１つ以上のものと通信し得る。エアインターフェース１１５ｃ／１１６ｃ／１１７ｃは、任意の好適な無線アクセス技術（ＲＡＴ）を使用して確立され得る。
【００４５】
より具体的には、前述のように、通信システム１００は、複数のアクセスシステムであり得、ＣＤＭＡ、ＴＤＭＡ、ＦＤＭＡ、ＯＦＤＭＡ、ＳＣ−ＦＤＭＡ等の１つ以上のチャネルアクセススキームを採用し得る。例えば、ＲＡＮ１０３／１０４／１０５およびＷＴＲＵ１０２ａ、１０２ｂ、１０２ｃ内の基地局１１４ａまたはＲＡＮ１０３ｂ／１０４ｂ／１０５ｂおよびＷＴＲＵ１０２ｃ、１０２ｄ内のＲＲＨ１１８ａ、１１８ｂおよびＴＲＰ１１９ａ、１１９ｂは、それぞれ、広帯域ＣＤＭＡ（ＷＣＤＭＡ（登録商標））を使用して、エアインターフェース１１５／１１６／１１７または１１５ｃ／１１６ｃ／１１７ｃを確立し得る、ユニバーサルモバイル電気通信システム（ＵＭＴＳ）地上無線アクセス（ＵＴＲＡ）等の無線技術を実装し得る。ＷＣＤＭＡ（登録商標）は、高速パケットアクセス（ＨＳＰＡ）および／または進化型ＨＳＰＡ（ＨＳＰＡ＋）等の通信プロトコルを含み得る。ＨＳＰＡは、高速ダウンリンクパケットアクセス（ＨＳＤＰＡ）および／または高速アップリンクパケットアクセス（ＨＳＵＰＡ）を含み得る。
【００４６】
ある実施形態では、ＲＡＮ１０３ｂ／１０４ｂ／１０５ｂおよびＷＴＲＵ１０２ｃ、１０２ｄ内の基地局１１４ａおよびＷＴＲＵ１０２ａ、１０２ｂ、１０２ｃまたはＲＲＨ１１８ａ、１１８ｂおよびＴＲＰ１１９ａ、１１９ｂは、それぞれ、ロングタームエボリューション（ＬＴＥ）および／またはＬＴＥ−アドバンスト（ＬＴＥ−Ａ）を使用して、エアインターフェース１１５／１１６／１１７または１１５ｃ／１１６ｃ／１１７ｃを確立し得る、進化型ＵＭＴＳ地上無線アクセス（Ｅ−ＵＴＲＡ）等の無線技術を実装し得る。将来、エアインターフェース１１５／１１６／１１７は、３ＧＰＰ  ＮＲ技術を実装し得る。
【００４７】
ある実施形態では、ＲＡＮ１０３／１０４／１０５内の基地局１１４ａおよびＲＡＮ１０３ｂ／１０４ｂ／１０５ｂおよびＷＴＲＵ１０２ｃ、１０２ｄ内のＷＴＲＵ１０２ａ、１０２ｂ、１０２ｃまたはＲＲＨ１１８ａ、１１８ｂおよびＴＲＰ１１９ａ、１１９ｂは、ＩＥＥＥ８０２．１６（例えば、ワールドワイド・インターオペラビリティ・フォー・マイクロウェーブ・アクセス（ＷｉＭＡＸ））、ＣＤＭＡ２０００、ＣＤＭＡ２０００  １Ｘ、ＣＤＭＡ２０００  ＥＶ−ＤＯ、暫定規格２０００（ＩＳ−２０００）、暫定規格９５（ＩＳ−９５）、暫定規格８５６（ＩＳ−８５６）、モバイル通信用グローバルシステム（ＧＳＭ（登録商標））、ＧＳＭ（登録商標）進化型高速データレート（ＥＤＧＥ）、ＧＳＭ（登録商標）  ＥＤＧＥ（ＧＥＲＡＮ）等の無線技術を実装し得る。
【００４８】
図３Ａにおける基地局１１４ｃは、例えば、無線ルータ、ホームＮｏｄｅ  Ｂ、ホームｅＮｏｄｅ  Ｂ、またはアクセスポイントであり得、会社、自宅、車両、キャンパス等の場所等の局所エリア内の無線コネクティビティを促進するための任意の好適なＲＡＴを利用し得る。ある実施形態では、基地局１１４ｃおよびＷＴＲＵ１０２ｅは、ＩＥＥＥ８０２．１１等の無線技術を実装して、無線ローカルエリアネットワーク（ＷＬＡＮ）を確立し得る。ある実施形態では、基地局１１４ｃおよびＷＴＲＵ１０２ｄは、ＩＥＥＥ８０２．１５等の無線技術を実装して、無線パーソナルエリアネットワーク（ＷＰＡＮ）を確立し得る。さらなる実施形態では、基地局１１４ｃおよびＷＴＲＵ１０２ｅは、セルラーベースのＲＡＴ（例えば、ＷＣＤＭＡ（登録商標）、ＣＤＭＡ２０００、ＧＳＭ（登録商標）、ＬＴＥ、ＬＴＥ−Ａ等）を利用して、ピコセルまたはフェムトセルを確立し得る。図３Ａに示されるように、基地局１１４ｂは、インターネット１１０への直接接続を有し得る。したがって、基地局１１４ｃは、コアネットワーク１０６／１０７／１０９を介してインターネット１１０にアクセスするように要求されないこともある。
【００４９】
ＲＡＮ１０３／１０４／１０５および／またはＲＡＮ１０３ｂ／１０４ｂ／１０５ｂは、インターネットプロトコル（ＶｏＩＰ）サービスを経由して、ＷＴＲＵ１０２ａ、１０２ｂ、１０２ｃ、１０２ｄのうちの１つ以上のものに、音声、データ、アプリケーション、および／または音声を提供するように構成される、任意のタイプのネットワークであり得る、コアネットワーク１０６／１０７／１０９と通信し得る。例えば、コアネットワーク１０６／１０７／１０９は、コール制御、請求サービス、モバイル場所ベースのサービス、プリペイドコール、インターネットコネクティビティ、ビデオ配信等を提供し、および／またはユーザ認証等の高レベルセキュリティ機能を実施し得る。
【００５０】
図３Ａでは図示されないが、ＲＡＮ１０３／１０４／１０５および／またはＲＡＮ１０３ｂ／１０４ｂ／１０５ｂおよび／またはコアネットワーク１０６／１０７／１０９は、ＲＡＮ１０３／１０４／１０５および／またはＲＡＮ１０３ｂ／１０４ｂ／１０５ｂと同一ＲＡＴまたは異なるＲＡＴを採用する、他のＲＡＮと直接または間接通信し得ることを理解されるであろう。例えば、Ｅ−ＵＴＲＡ無線技術を利用し得る、ＲＡＮ１０３／１０４／１０５および／またはＲＡＮ１０３ｂ／１０４ｂ／１０５ｂに接続されることに加え、コアネットワーク１０６／１０７／１０９はまた、ＧＳＭ（登録商標）無線技術を採用する別のＲＡＮ（図示せず）と通信し得る。
【００５１】
コアネットワーク１０６／１０７／１０９はまた、ＷＴＲＵ１０２ａ、１０２ｂ、１０２ｃ、１０２ｄ、１０２ｅのためのゲートウェイとしての役割を果たし、ＰＳＴＮ１０８、インターネット１１０、および／または他のネットワーク１１２にアクセスし得る。ＰＳＴＮ１０８は、従来のアナログ電話回線サービス（ＰＯＴＳ）を提供する、回路交換電話ネットワークを含み得る。インターネット１１０は、伝送制御プロトコル（ＴＣＰ）、ユーザデータグラムプロトコル（ＵＤＰ）、およびＴＣＰ／ＩＰインターネットプロトコルスイートにおけるインターネットプロトコル（ＩＰ）等の共通通信プロトコルを使用する、相互接続されたコンピュータネットワークおよびデバイスのグローバルシステムを含み得る。ネットワーク１１２は、他のサービスプロバイダによって所有および／または運営される、有線または無線通信ネットワークを含み得る。例えば、ネットワーク１１２は、ＲＡＮ１０３／１０４／１０５および／またはＲＡＮ１０３ｂ／１０４ｂ／１０５ｂと同一ＲＡＴまたは異なるＲＡＴを採用し得る、１つ以上のＲＡＮに接続される別のコアネットワークを含み得る。
【００５２】
通信システム１００内のＷＴＲＵ１０２ａ、１０２ｂ、１０２ｃ、１０２ｄの一部または全部は、マルチモード能力を含み得る、例えば、ＷＴＲＵ１０２ａ、１０２ｂ、１０２ｃ、１０２ｄ、および１０２ｅは、異なる無線リンクを経由して異なる無線ネットワークと通信するための複数の送受信機を含み得る。例えば、図３Ａに示されるＷＴＲＵ１０２ｅは、セルラーベースの無線技術を採用し得る、基地局１１４ａと、ＩＥＥＥ８０２無線技術を採用し得る、基地局１１４ｃと通信するように構成され得る。
【００５３】
図３Ｂは、例えば、ＷＴＲＵ１０２等の本明細書に図示される実施形態に従って無線通信のために構成される例示的装置またはデバイスのブロック図である。図３Ｂに示されるように、例示的ＷＴＲＵ１０２は、プロセッサ１１８と、送受信機１２０と、伝送／受信要素１２２と、スピーカ／マイクロホン１２４と、キーパッド１２６と、ディスプレイ／タッチパッド／インジケータ１２８と、非取り外し可能メモリ１３０と、取り外し可能メモリ１３２と、電源１３４と、全地球測位システム（ＧＰＳ）チップセット１３６と、他の周辺機器１３８とを含み得る。ＷＴＲＵ１０２は、実施形態と一致したままで、先述の要素の任意の副次的組み合わせを含み得ることを理解されたい。また、実施形態は、限定ではないが、とりわけ、送受信機ステーション（ＢＴＳ）、Ｎｏｄｅ−Ｂ、サービス拠点コントローラ、アクセスポイント（ＡＰ）、ホームＮｏｄｅ−Ｂ、進化型ホームＮｏｄｅ−Ｂ（ｅＮｏｄｅＢ）、ホーム進化型Ｎｏｄｅ−Ｂ（ＨｅＮＢ）、ホーム進化型Ｎｏｄｅ−Ｂゲートウェイ、およびプロキシノード等の基地局１１４ａおよび１１４ｂおよび／または基地局１１４ａおよび１１４ｂが表し得るノードは、図３２Ｂに描写され、本明細書に説明される要素の一部または全部を含み得ることを想定する。
【００５４】
プロセッサ１１８は、汎用プロセッサ、特殊目的プロセッサ、従来のプロセッサ、デジタル信号プロセッサ（ＤＳＰ）、複数のマイクロプロセッサ、ＤＳＰコアに関連付けられた１つ以上のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態マシン等であり得る。プロセッサ１１８は、信号コーディング、データ処理、電力制御、入力／出力処理、および／またはＷＴＲＵ１０２が無線環境内で動作することを可能にする、任意の他の機能性を果たし得る。プロセッサ１１８は、伝送／受信要素１２２に結合され得る、送受信機１２０に結合され得る。図３Ｂは、プロセッサ１１８および送受信機１２０を別個のコンポーネントとして描写するが、プロセッサ１１８および送受信機１２０は、電子パッケージまたはチップ内にともに統合され得ることを理解されるであろう。
【００５５】
伝送／受信要素１２２は、エアインターフェース１１５／１１６／１１７を経由して、基地局（例えば、基地局１１４ａ）へ信号を伝送する、またはそこから信号を受信するように構成され得る。例えば、ある実施形態では、伝送／受信要素１２２は、ＲＦ信号を伝送および／または受信するように構成されるアンテナであり得る。図３Ａでは図示されないが、ＲＡＮ１０３／１０４／１０５および／またはコアネットワーク１０６／１０７／１０９は、ＲＡＮ１０３／１０４／１０５と同一ＲＡＴまたは異なるＲＡＴを採用する、他のＲＡＮと直接または間接通信し得ることを理解されるであろう。例えば、Ｅ−ＵＴＲＡ無線技術を利用し得る、ＲＡＮ１０３／１０４／１０５に接続されることに加え、コアネットワーク１０６／１０７／１０９はまた、ＧＳＭ（登録商標）無線技術を採用する別のＲＡＮ（図示せず）と通信し得る。
【００５６】
コアネットワーク１０６／１０７／１０９はまた、ＷＴＲＵ１０２ａ、１０２ｂ、１０２ｃ、１０２ｄのためのゲートウェイとしての役割を果たし、ＰＳＴＮ１０８、インターネット１１０、および／または他のネットワーク１１２にアクセスし得る。ＰＳＴＮ１０８は、従来のアナログ電話回線サービス（ＰＯＴＳ）を提供する、回路交換電話ネットワークを含み得る。インターネット１１０は、伝送制御プロトコル（ＴＣＰ）、ユーザデータグラムプロトコル（ＵＤＰ）、およびＴＣＰ／ＩＰインターネットプロトコルスイートにおけるインターネットプロトコル（ＩＰ）等の共通通信プロトコルを使用する、相互接続されたコンピュータネットワークおよびデバイスのグローバルシステムを含み得る。ネットワーク１１２は、他のサービスプロバイダによって所有および／または運営される、有線または無線通信ネットワークを含み得る。例えば、ネットワーク１１２は、ＲＡＮ１０３／１０４／１０５と同一ＲＡＴまたは異なるＲＡＴを採用し得る、１つ以上のＲＡＮに接続される、別のコアネットワークを含み得る。
【００５７】
通信システム１００内のＷＴＲＵ１０２ａ、１０２ｂ、１０２ｃ、１０２ｄの一部または全部は、マルチモード能力を含み得る、例えば、ＷＴＲＵ１０２ａ、１０２ｂ、１０２ｃ、および１０２ｄは、異なる無線リンクを経由して異なる無線ネットワークと通信するための複数の送受信機を含み得る。例えば、図３Ａに示されるＷＴＲＵ１０２ｃは、セルラーベースの無線技術を採用し得る、基地局１１４ａと、ＩＥＥＥ８０２無線技術を採用し得る、基地局１１４ｂと通信するように構成され得る。
【００５８】
図３Ｂは、例えば、ＷＴＲＵ１０２等の本明細書に図示される実施形態に従って無線通信のために構成される例示的装置またはデバイスのブロック図である。図３２Ｂに示されるように、例示的ＷＴＲＵ１０２は、プロセッサ１１８と、送受信機１２０と、伝送／受信要素１２２と、スピーカ／マイクロホン１２４と、キーパッド１２６と、ディスプレイ／タッチパッド／インジケータ１２８と、非取り外し可能メモリ１３０と、取り外し可能メモリ１３２と、電源１３４と、全地球測位システム（ＧＰＳ）チップセット１３６と、他の周辺機器１３８とを含み得る。ＷＴＲＵ１０２は、実施形態と一致したままで前述の要素の任意の副次的組み合わせを含み得ることを理解されるであろう。また、実施形態は、限定ではないが、とりわけ、送受信機ステーション（ＢＴＳ）、Ｎｏｄｅ−Ｂ、サービス拠点コントローラ、アクセスポイント（ＡＰ）、ホームＮｏｄｅ−Ｂ、進化型ホームＮｏｄｅ−Ｂ（ｅＮｏｄｅＢ）、ホーム進化型Ｎｏｄｅ−Ｂ（ＨｅＮＢ）、ホーム進化型Ｎｏｄｅ−Ｂゲートウェイ、およびプロキシノード等の基地局１１４ａおよび１１４ｂおよび／または基地局１１４ａおよび１１４ｂが表し得るノードは、図３Ｂに描写され、本明細書に説明される要素の一部または全部を含み得ることを想定する。
【００５９】
プロセッサ１１８は、汎用プロセッサ、特殊目的プロセッサ、従来のプロセッサ、デジタル信号プロセッサ（ＤＳＰ）、複数のマイクロプロセッサ、ＤＳＰコアに関連付けられた１つ以上のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態マシン等であり得る。プロセッサ１１８は、信号コーディング、データ処理、電力制御、入力／出力処理、および／またはＷＴＲＵ１０２が無線環境内で動作することを可能にする、任意の他の機能性を果たし得る。プロセッサ１１８は、伝送／受信要素１２２に結合され得る、送受信機１２０に結合され得る。図３Ｂは、プロセッサ１１８および送受信機１２０を別個のコンポーネントとして描写するが、プロセッサ１１８および送受信機１２０は、電子パッケージまたはチップ内にともに統合され得ることを理解されるであろう。
【００６０】
伝送／受信要素１２２は、エアインターフェース１１５／１１６／１１７を経由して、基地局（例えば、基地局１１４ａ）へ信号を伝送する、またはそこから信号を受信するように構成され得る。例えば、ある実施形態では、伝送／受信要素１２２は、ＲＦ信号を伝送および／または受信するように構成される、アンテナであり得る。ある実施形態では、伝送／受信要素１２２は、例えば、ＩＲ、ＵＶ、もしくは可視光信号を伝送および／または受信するように構成されるエミッタ／検出器であり得る。さらなる実施形態では、伝送／受信要素１２２は、ＲＦおよび光信号の両方を伝送ならびに受信するように構成され得る。伝送／受信要素１２２は、無線もしくは有線信号の任意の組み合わせを伝送および／または受信するように構成され得ることを理解されるであろう。
【００６１】
加えて、伝送／受信要素１２２は、単一の要素として図３Ｂで描写されているが、ＷＴＲＵ１０２は、任意の数の伝送／受信要素１２２を含み得る。より具体的には、ＷＴＲＵ１０２は、ＭＩＭＯ技術を採用し得る。したがって、実施形態では、ＷＴＲＵ１０２は、エアインターフェース１１５／１１６／１１７を経由して無線信号を伝送および受信するための２つ以上の伝送／受信要素１２２（例えば、複数のアンテナ）を含み得る。
【００６２】
送受信機１２０は、伝送／受信要素１２２によって伝送される信号を変調するように、および伝送／受信要素１２２によって受信される信号を復調するように構成され得る。上記のように、ＷＴＲＵ１０２は、マルチモード能力を有し得る。したがって、送受信機１２０は、ＷＴＲＵ１０２が、例えば、ＵＴＲＡおよびＩＥＥＥ８０２．１１等の複数のＲＡＴを介して通信することを可能にするための複数の送受信機を含み得る。
【００６３】
ＷＴＲＵ１０２のプロセッサ１１８は、スピーカ／マイクロホン１２４、キーパッド１２６、および／またはディスプレイ／タッチパッド／インジケータ１２８（例えば、液晶ディスプレイ（ＬＣＤ）ディスプレイユニットまたは有機発光ダイオード（ＯＬＥＤ）ディスプレイユニット）に結合され、そこからユーザ入力データを受信し得る。プロセッサ１１８はまた、ユーザデータをスピーカ／マイクロホン１２４、キーパッド１２６、および／またはディスプレイ／タッチパッド／インジケータ１２８に出力し得る。加えて、プロセッサ１１８は、非取り外し可能メモリ１３０および／または取り外し可能メモリ１３２等の任意のタイプの好適なメモリから情報にアクセスし、その中にデータを記憶し得る。非取り外し可能非取り外し可能メモリ１３０は、ランダムアクセスメモリ（ＲＡＭ）、読み取り専用メモリ（ＲＯＭ）、ハードディスク、または任意の他のタイプのメモリ記憶デバイスを含み得る。取り外し可能メモリ１３２は、サブスクライバ識別モジュール（ＳＩＭ）カード、メモリスティック、セキュアデジタル（ＳＤ）メモリカード等を含み得る。ある実施形態では、プロセッサ１１８は、サーバまたは自宅コンピュータ（図示せず）上等のＷＴＲＵ１０２上に物理的に位置しないメモリから情報にアクセスし、その中にデータを記憶し得る。
【００６４】
プロセッサ１１８は、電源１３４から電力を受電し得、ＷＴＲＵ１０２内の他のコンポーネントへの電力を分配および／または制御するように構成され得る。電源１３４は、ＷＴＲＵ１０２に給電するための任意の好適なデバイスであり得る。例えば、電源１３４は、１つ以上の乾電池、太陽電池、燃料電池等を含み得る。
【００６５】
プロセッサ１１８はまた、ＷＴＲＵ１０２の現在の場所に関する場所情報（例えば、経度および緯度）を提供するように構成され得る、ＧＰＳチップセット１３６に結合され得る。ＧＰＳチップセット１３６からの情報に加え、またはその代わりに、ＷＴＲＵ１０２は、エアインターフェース１１５／１１６／１１７を経由して、基地局（例えば、基地局１１４ａ、１１４ｂ）から場所情報を受信し、および／または２つ以上の近傍基地局から受信されている信号のタイミングに基づいて、その場所を決定し得る。ＷＴＲＵ１０２は、実施形態と一致したままで任意の好適な場所決定方法を介して場所情報を獲得し得ることを理解されるであろう。
【００６６】
プロセッサ１１８はさらに、追加の特徴、機能性、および／または有線もしくは無線コネクティビティを提供する、１つ以上のソフトウェアならびに／もしくはハードウェアモジュールを含み得る、他の周辺機器１３８に結合され得る。例えば、周辺機器１３８は、加速度計、バイオメトリック（例えば、指紋）センサ等の種々のセンサ、ｅ−コンパス、衛星送受信機、デジタルカメラ（写真またはビデオ用）、ユニバーサルシリアルバス（ＵＳＢ）ポートまたは他の相互接続インターフェース、振動デバイス、テレビ送受信機、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザ等を含み得る。
【００６７】
ＷＴＲＵ１０２は、センサ、消費者電子機器、スマートウォッチまたはスマート衣類等のウェアラブルデバイス、医療またはｅヘルスデバイス、ロボット、産業機器、ドローン、車、トラック、電車、または飛行機等の車両等の他の装置もしくはデバイスで具現化され得る。ＷＴＲＵ１０２は、周辺機器１３８のうちの１つを備え得る相互接続インターフェース等の１つ以上の相互接続インターフェースを介して、そのような装置もしくはデバイスの他のコンポーネント、モジュール、またはシステムに接続し得る。
【００６８】
図３Ｃは、ある実施形態による、ＲＡＮ１０３およびコアネットワーク１０６の系統図である。前述のように、ＲＡＮ１０３は、ＵＴＲＡ無線技術を採用し、エアインターフェース１１５を経由して、ＷＴＲＵ１０２ａ、１０２ｂ、および１０２ｃと通信し得る。ＲＡＮ１０３はまた、コアネットワーク１０６と通信し得る。図３Ｃに示されるように、ＲＡＮ１０３は、それぞれ、エアインターフェース１１５を経由して、ＷＴＲＵ１０２ａ、１０２ｂ、１０２ｃと通信するための１つ以上の送受信機を含み得る、Ｎｏｄｅ−Ｂ１４０ａ、１４０ｂ、１４０ｃを含み得る。Ｎｏｄｅ−Ｂ１４０ａ、１４０ｂ、１４０ｃはそれぞれ、ＲＡＮ１０３内の特定のセル（図示せず）に関連付けられ得る。ＲＡＮ１０３はまた、ＲＮＣ１４２ａ、１４２ｂを含み得る。ＲＡＮ１０３は、実施形態と一致したままで、任意の数のＮｏｄｅ−ＢおよびＲＮＣを含み得ることを理解されるであろう。
【００６９】
図３Ｃに示されるように、Ｎｏｄｅ−Ｂ１４０ａ、１４０ｂは、ＲＮＣ１４２ａと通信し得る。加えて、Ｎｏｄｅ−Ｂ１４０ｃは、ＲＮＣ１４２ｂと通信し得る。Ｎｏｄｅ−Ｂ１４０ａ、１４０ｂ、１４０ｃは、Ｉｕｂインターフェースを介して、個別のＲＮＣ１４２ａ、１４２ｂと通信し得る。ＲＮＣ１４２ａ、１４２ｂは、Ｉｕｒインターフェースを介して、相互に通信し得る。ＲＮＣ１４２ａ、１４２ｂはそれぞれ、接続される個別のＮｏｄｅ−Ｂ１４０ａ、１４０ｂ、１４０ｃを制御するように構成され得る。加えて、ＲＮＣ１４２ａ、１４２ｂはそれぞれ、外部ループ電力制御、負荷制御、受付制御、パケットスケジューリング、ハンドオーバ制御、マクロ−多様性、セキュリティ機能、データ暗号化等の他の機能性を果たすまたはサポートするように構成され得る。
【００７０】
図３Ｃに示されるコアネットワーク１０６は、メディアゲートウェイ（ＭＧＷ）１４４、モバイル切り替えセンタ（ＭＳＣ）１４６、サービングＧＰＲＳサポートノード（ＳＧＳＮ）１４８、および／またはゲートウェイＧＰＲＳサポートノード（ＧＧＳＮ）１５０を含み得る。前述の要素はそれぞれ、コアネットワーク１０６の一部として描写されるが、これらの要素のうちの任意の１つは、コアネットワークオペレータ以外のエンティティによって所有および／または運営され得ることを理解されるであろう。
【００７１】
ＲＡＮ１０３内のＲＮＣ１４２ａは、ＩｕＣＳインターフェースを介して、コアネットワーク１０６内のＭＳＣ１４６に接続され得る。ＭＳＣ１４６は、ＭＧＷ１４４に接続され得る。ＭＳＣ１４６およびＭＧＷ１４４は、ＷＴＲＵ１０２ａ、１０２ｂ、１０２ｃに、ＰＳＴＮ１０８等の回路交換ネットワークへのアクセスを提供し、ＷＴＲＵ１０２ａ、１０２ｂ、１０２ｃと従来の地上通信デバイスとの間の通信を促進し得る。
【００７２】
ＲＡＮ１０３内のＲＮＣ１４２ａはまた、ＩｕＰＳインターフェースを介して、コアネットワーク１０６内のＳＧＳＮ１４８に接続され得る。ＳＧＳＮ１４８は、ＧＧＳＮ１５０に接続され得る。ＳＧＳＮ１４８およびＧＧＳＮ１５０は、ＷＴＲＵ１０２ａ、１０２ｂ、１０２ｃに、インターネット１１０等のパケット交換ネットワークへのアクセスを提供し、ＷＴＲＵ１０２ａ、１０２ｂ、１０２ｃとＩＰ対応デバイスとの間の通信を促進し得る。
【００７３】
前述のように、コアネットワーク１０６はまた、他のサービスプロバイダによって所有および／または運営される他の有線または無線ネットワークを含み得る、ネットワーク１１２に接続され得る。
【００７４】
図３Ｄは、ある実施形態による、ＲＡＮ１０４およびコアネットワーク１０７の系統図である。前述のように、ＲＡＮ１０４は、Ｅ−ＵＴＲＡ無線技術を採用し、エアインターフェース１１６を経由して、ＷＴＲＵ１０２ａ、１０２ｂ、および１０２ｃと通信し得る。ＲＡＮ１０４はまた、コアネットワーク１０７と通信し得る。
【００７５】
ＲＡＮ１０４は、ｅＮｏｄｅ−Ｂ１６０ａ、１６０ｂ、１６０ｃを含み得るが、ＲＡＮ１０４は、実施形態と一致したままで、任意の数のｅＮｏｄｅ−Ｂを含み得ることを理解さるであろう。ｅＮｏｄｅ−Ｂ１６０ａ、１６０ｂ、１６０ｃはそれぞれ、エアインターフェース１１６を経由して、ＷＴＲＵ１０２ａ、１０２ｂ、１０２ｃと通信するための１つ以上の送受信機を含み得る。ある実施形態では、ｅＮｏｄｅ−Ｂ１６０ａ、１６０ｂ、１６０ｃは、ＭＩＭＯ技術を実装し得る。したがって、ｅＮｏｄｅ−Ｂ１６０ａは、例えば、複数のアンテナを使用して、ＷＴＲＵ１０２ａに無線信号を伝送し、そこから無線信号を受信し得る。
【００７６】
ｅＮｏｄｅ−Ｂ１６０ａ、１６０ｂ、および１６０ｃはそれぞれ、特定のセル（図示せず）に関連付けられ得、無線リソース管理決定、ハンドオーバ決定、アップリンクおよび／またはダウンリンクにおけるユーザのスケジューリング等をハンドリングするように構成され得る。図３Ｄに示されるように、ｅＮｏｄｅ−Ｂ１６０ａ、１６０ｂ、１６０ｃは、Ｘ２インターフェースを経由して、相互に通信し得る。
【００７７】
図３Ｄに示されるコアネットワーク１０７は、モビリティ管理ゲートウェイ（ＭＭＥ）１６２と、サービングゲートウェイ１６４と、パケットデータネットワーク（ＰＤＮ）ゲートウェイ１６６とを含み得る。前述の要素はそれぞれ、コアネットワーク１０７の一部として描写されるが、これらの要素のうちの任意の１つは、コアネットワークオペレータではなくエンティティによって所有および／または運営され得ることを理解されるであろう。
【００７８】
ＭＭＥ１６２は、Ｓ１インターフェースを介して、ＲＡＮ１０４内のｅＮｏｄｅ−Ｂ１６０ａ、１６０ｂ、および１６０ｃのそれぞれに接続され得、制御ノードとしての役割を果たし得る。例えば、ＭＭＥ１６２は、ＷＴＲＵ１０２ａ、１０２ｂ、１０２ｃのユーザの認証、ベアラアクティブ化／非アクティブ化、ＷＴＲＵ１０２ａ、１０２ｂ、１０２ｃの初期アタッチの間の特定のサービングゲートウェイの選択等に責任があり得る。ＭＭＥ１６２はまた、ＲＡＮ１０４とＧＳＭ（登録商標）またはＷＣＤＭＡ（登録商標）等の他の無線技術を採用する他のＲＡＮ（図示せず）との間の切り替えのための制御プレーン機能を提供し得る。
【００７９】
サービングゲートウェイ１６４は、Ｓ１インターフェースを介して、ＲＡＮ１０４内のｅＮｏｄｅ−Ｂ１６０ａ、１６０ｂ、および１６０ｃのそれぞれに接続され得る。サービングゲートウェイ１６４は、概して、ユーザデータパケットをＷＴＲＵ１０２ａ、１０２ｂ、１０２ｃへ／からルーティングおよび転送し得る。サービングゲートウェイ１６４はまた、ｅＮｏｄｅＢ間ハンドオーバの間のユーザプレーンのアンカ、ダウンリンクデータがＷＴＲＵ１０２ａ、１０２ｂ、１０２ｃのために利用可能であるときのページングのトリガ、ＷＴＲＵ１０２ａ、１０２ｂ、１０２ｃのコンテキストの管理および記憶等の他の機能を実施し得る。
【００８０】
サービングゲートウェイ１６４はまた、ＷＴＲＵ１０２ａ、１０２ｂ、１０２ｃに、インターネット１１０等のパケット交換ネットワークへのアクセスを提供し、ＷＴＲＵ１０２ａ、１０２ｂ、１０２ｃとＩＰ対応デバイスとの間の通信を促進し得る、ＰＤＮゲートウェイ１６６に接続され得る。
【００８１】
コアネットワーク１０７は、他のネットワークとの通信を促進し得る。例えば、コアネットワーク１０７は、ＷＴＲＵ１０２ａ、１０２ｂ、１０２ｃに、ＰＳＴＮ１０８等の回路交換ネットワークへのアクセスを提供し、ＷＴＲＵ１０２ａ、１０２ｂ、１０２ｃと従来の地上通信デバイスとの間の通信を促進し得る。例えば、コアネットワーク１０７は、コアネットワーク１０７とＰＳＴＮ１０８との間のインターフェースとしての役割を果たす、ＩＰゲートウェイ（例えば、ＩＰマルチメディアサブシステム（ＩＭＳ）サーバ）を含み得る、またはそれと通信し得る。加えて、コアネットワーク１０７は、ＷＴＲＵ１０２ａ、１０２ｂ、１０２ｃに、他のサービスプロバイダによって所有および／または運営される他の有線または無線ネットワークを含み得る、ネットワーク１１２へのアクセスを提供し得る。
【００８２】
図３Ｅは、ある実施形態による、ＲＡＮ１０５およびコアネットワーク１０９の系統図である。ＲＡＮ１０５は、ＩＥＥＥ８０２．１６無線技術を採用し、エアインターフェース１１７を経由して、ＷＴＲＵ１０２ａ、１０２ｂ、および１０２ｃと通信する、アクセスサービスネットワーク（ＡＳＮ）であり得る。さらに以下に議論されるであろうように、ＷＴＲＵ１０２ａ、１０２ｂ、１０２ｃ、ＲＡＮ１０５の異なる機能エンティティとコアネットワーク１０９との間の通信リンクは、参照点として定義され得る。
【００８３】
図３Ｅに示されるように、ＲＡＮ１０５は、基地局１８０ａ、１８０ｂ、１８０ｃと、ＡＳＮゲートウェイ１８２とを含み得るが、ＲＡＮ１０５は、実施形態と一貫したままで、任意の数の基地局およびＡＳＮゲートウェイを含み得ることを理解されるであろう。基地局１８０ａ、１８０ｂ、１８０ｃはそれぞれ、ＲＡＮ１０５内の特定のセルに関連付けられ得、エアインターフェース１１７を経由してＷＴＲＵ１０２ａ、１０２ｂ、１０２ｃと通信するための１つ以上の送受信機を含み得る。ある実施形態では、基地局１８０ａ、１８０ｂ、１８０ｃは、ＭＩＭＯ技術を実装し得る。したがって、基地局１８０ａは、例えば、複数のアンテナを使用して、ＷＴＲＵ１０２ａに無線信号を伝送し、そこから無線信号を受信し得る。基地局１８０ａ、１８０ｂ、１８０ｃはまた、ハンドオフトリガ、トンネル確立、無線リソース管理、トラフィック分類、サービスの質（ＱｏＳ）ポリシ強制等、モビリティ管理機能を提供し得る。ＡＳＮゲートウェイ１８２は、トラフィック集約点としての役割を果たし得、ページング、サブスクライバプロファイルのキャッシュ、コアネットワーク１０９へのルーティング等に責任があり得る。
【００８４】
ＷＴＲＵ１０２ａ、１０２ｂ、１０２ｃとＲＡＮ１０５との間のエアインターフェース１１７は、ＩＥＥＥ８０２．１６仕様を実装する、Ｒ１参照点として定義され得る。加えて、ＷＴＲＵ１０２ａ、１０２ｂ、および１０２ｃはそれぞれ、論理インターフェース（図示せず）をコアネットワーク１０９と確立し得る。ＷＴＲＵ１０２ａ、１０２ｂ、１０２ｃとコアネットワーク１０９との間の論理インターフェースは、認証、認可、ＩＰホスト構成管理、および／またはモビリティ管理のために使用され得る、Ｒ２参照点として定義され得る。
【００８５】
基地局１８０ａ、１８０ｂ、および１８０ｃのそれぞれ間の通信リンクは、基地局間のＷＴＲＵハンドオーバおよびデータの転送を促進するためのプロトコルを含む、Ｒ８参照点として定義され得る。基地局１８０ａ、１８０ｂ、１８０ｃとＡＳＮゲートウェイ１８２との間の通信リンクは、Ｒ６参照点として定義され得る。Ｒ６参照点は、ＷＴＲＵ１０２ａ、１０２ｂ、１０２ｃのそれぞれに関連付けられたモビリティイベントに基づいてモビリティ管理を促進するためのプロトコルを含み得る。
【００８６】
図３Ｅに示されるように、ＲＡＮ１０５は、コアネットワーク１０９に接続され得る。ＲＡＮ１０５とコアネットワーク１０９との間の通信リンクは、例えば、データ転送およびモビリティ管理能力を促進するためのプロトコルを含む、Ｒ３参照点として定義され得る。コアネットワーク１０９は、モバイルＩＰホームエージェント（ＭＩＰ−ＨＡ）１８４と、認証、認可、課金（ＡＡＡ）サーバ１８６と、ゲートウェイ１８８とを含み得る。前述の要素はそれぞれ、コアネットワーク１０９の一部として描写されるが、これらの要素のうちの任意の１つは、コアネットワークオペレータ以外のエンティティによって所有および／または運営され得ることを理解されるであろう。
【００８７】
ＭＩＰ−ＨＡは、ＩＰアドレス管理に責任があり得、ＷＴＲＵ１０２ａ、１０２ｂ、および１０２ｃが、異なるＡＳＮおよび／または異なるコアネットワーク間でローミングすることを可能にし得る。ＭＩＰ−ＨＡ１８４は、ＷＴＲＵ１０２ａ、１０２ｂ、１０２ｃに、インターネット１１０等のパケット交換ネットワークへのアクセスを提供し、ＷＴＲＵ１０２ａ、１０２ｂ、１０２ｃとＩＰ対応デバイスとの間の通信を促進し得る。ＡＡＡサーバ１８６は、ユーザ認証およびユーザサービスをサポートすることに責任があり得る。ゲートウェイ１８８は、他のネットワークとのインターワーキングを促進し得る。例えば、ゲートウェイ１８８は、ＷＴＲＵ１０２ａ、１０２ｂ、１０２ｃに、ＰＳＴＮ１０８等の回路交換ネットワークへのアクセスを提供し、ＷＴＲＵ１０２ａ、１０２ｂ、１０２ｃと従来の地上通信デバイスとの間の通信を促進し得る。加えて、ゲートウェイ１８８は、ＷＴＲＵ１０２ａ、１０２ｂ、１０２ｃに、他のサービスプロバイダによって所有および／または運営される他の有線または無線ネットワークを含み得る、ネットワーク１１２へのアクセスを提供し得る。
【００８８】
図３Ｅでは図示されないが、ＲＡＮ１０５は、他のＡＳＮに接続され得、コアネットワーク１０９は、他のコアネットワークに接続され得ることを理解されるであろう。ＲＡＮ１０５と他のＡＳＮとの間の通信リンクは、ＲＡＮ１０５と他のＡＳＮとの間のＷＴＲＵ１０２ａ、１０２ｂ、１０２ｃのモビリティを協調するためのプロトコルを含み得る、Ｒ４参照点として定義され得る。コアネットワーク１０９と他のコアネットワークとの間の通信リンクは、ホームコアネットワークと訪問したコアネットワークとの間のインターワーキングを促進するためのプロトコルを含み得る、Ｒ５参照点として定義され得る。
【００８９】
本明細書に説明され、図３Ａ、３Ｃ、３Ｄ、および３Ｅに図示される、コアネットワークエンティティは、ある既存の３ＧＰＰ仕様におけるそれらのエンティティに与えられる名称によって識別されるが、将来において、それらのエンティティおよび機能性は、他の名称によって識別され得、あるエンティティまたは機能は、将来的３ＧＰＰ  ＮＲ仕様を含む、３ＧＰＰによって公開される将来的仕様において組み合わせられ得ることを理解されたい。したがって、図３Ａ、３Ｂ、３Ｃ、３Ｄ、および３Ｅに説明および図示される特定のネットワークエンティティおよび機能性は、一例としてのみ提供され、本明細書で開示および請求される主題は、現在定義されているか、または将来的に定義されるかどうかにかかわらず、任意の類似通信システムにおいて具現化または実装され得ることを理解されたい。
【００９０】
図３Ｆは、ＲＡＮ１０３／１０４／１０５、コアネットワーク１０６／１０７／１０９、ＰＳＴＮ１０８、インターネット１１０、または他のネットワーク１１２内のあるノードまたは機能エンティティ等、図３Ａ、３Ｃ、３Ｄ、および３Ｅに図示される通信ネットワークの１つ以上の装置が具現化され得る、例示的コンピューティングシステム９０のブロック図である。コンピューティングシステム９０は、コンピュータまたはサーバを備えてもよく、主に、そのようなソフトウェアが記憶またはアクセスされる場所もしくは手段にかかわらず、ソフトウェアの形態であり得るコンピュータ読み取り可能な命令によって制御され得る。そのようなコンピュータ読み取り可能な命令は、コンピューティングシステム９０を稼働させるように、プロセッサ９１内で実行され得る。プロセッサ９１は、汎用プロセッサ、特殊目的プロセッサ、従来のプロセッサ、デジタル信号プロセッサ（ＤＳＰ）、複数のマイクロプロセッサ、ＤＳＰコアに関連付けられた１つ以上のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態マシン等であり得る。プロセッサ９１は、信号コーディング、データ処理、電力制御、入力／出力処理、および／またはコンピューティングシステム９０が通信ネットワーク内で動作することを可能にする、任意の他の機能性を果たし得る。コプロセッサ８１は、追加の機能を果たす、またはプロセッサ９１を支援する、主要ＣＰＵ９１とは明確に異なる、随意のプロセッサである。プロセッサ９１および／またはコプロセッサ８１は、本明細書に開示される方法および装置に関連するデータを受信、生成、ならびに処理し得る。
【００９１】
動作時、プロセッサ９１は、命令をフェッチ、復号、および実行し、コンピューティングシステムの主要データ転送パスであるシステムバス８０を介して、情報を他のリソースへ、ならびにそこから転送する。そのようなシステムバスは、コンピューティングシステム９０内のコンポーネントを接続し、データ交換のための媒体を定義する。システムバス８０は、典型的には、データを送信するためのデータラインと、アドレスを送信するためのアドレスラインと、インタラプトを送信するため、およびシステムバスを動作させるための制御ラインとを含む。そのようなシステムバス８０の実施例は、ＰＣＩ（周辺コンポーネント相互接続）バスである。
【００９２】
システムバス８０に結合されるメモリは、ランダムアクセスメモリ（ＲＡＭ）８２と、読み取り専用メモリ（ＲＯＭ）９３とを含む。そのようなメモリは、情報が記憶されて読み出されることを可能にする回路を含む。ＲＯＭ９３は、概して、容易に修正されることができない、記憶されたデータを含む。ＲＡＭ８２内に記憶されたデータは、プロセッサ９１または他のハードウェアデバイスによって読み取られる、もしくは変更されることができる。ＲＡＭ８２および／またはＲＯＭ９３へのアクセスは、メモリコントローラ９２によって制御され得る。メモリコントローラ９２は、命令が実行されると、仮想アドレスを物理的アドレスに変換する、アドレス変換機能を提供し得る。メモリコントローラ９２はまた、システム内のプロセスを隔離し、ユーザプロセスからシステムプロセスを隔離する、メモリ保護機能を提供し得る。したがって、第１のモードで起動するプログラムは、それ自体のプロセス仮想アドレス空間によってマップされるメモリのみにアクセスすることができ、プロセス間のメモリ共有が設定されていない限り、別のプロセスの仮想アドレス空間内のメモリにアクセスすることができない。
【００９３】
加えて、コンピューティングシステム９０は、プロセッサ９１からプリンタ９４、キーボード８４、マウス９５、およびディスクドライブ８５等の周辺機器に命令を通信する責任がある、周辺機器コントローラ８３を含み得る。
【００９４】
ディスプレイコントローラ９６によって制御されるディスプレイ８６は、コンピューティングシステム９０によって生成される視覚出力を表示するために使用される。そのような視覚出力は、テキスト、グラフィックス、動画グラフィックス、およびビデオを含み得る。視覚出力は、グラフィカルユーザインターフェース（ＧＵＩ）の形態で提供され得る。ディスプレイ８６は、ＣＲＴベースのビデオディスプレイ、ＬＣＤベースのフラットパネルディスプレイ、ガスプラズマベースのフラットパネルディスプレイ、またはタッチパネルを伴って実装され得る。ディスプレイコントローラ９６は、ディスプレイ８６に送信されるビデオ信号を生成するために要求される、電子コンポーネントを含む。
【００９５】
さらに、コンピューティングシステム９０は、コンピューティングシステム９０がそれらのネットワークの他のノードまたは機能エンティティと通信することを可能にするように、ＲＡＮ１０３／１０４／１０５、コアネットワーク１０６／１０７／１０９、ＰＳＴＮ１０８、インターネット１１０、または図３Ａ、３Ｂ、３Ｃ、３Ｄ、および３Ｅの他のネットワーク１１２等の外部通信ネットワークにコンピューティングシステム９０を接続し、するために使用され得る、例えば、ネットワークアダプタ９７等の通信回路を含み得る。通信回路は、単独で、またはプロセッサ９１と組み合わせて、本明細書に説明されるある装置、ノード、または機能エンティティの伝送および受信ステップを実施するために使用され得る。
【００９６】
本明細書に説明される装置、システム、方法、およびプロセスのうちのいずれかまたは全ては、コンピュータ読み取り可能な記憶媒体上に記憶されたコンピュータ実行可能命令（例えば、プログラムコード）の形態で具現化され得、その命令は、プロセッサ１１８または９１等のプロセッサによって実行されると、プロセッサに、本明細書に説明されるシステム、方法、およびプロセスを実施ならびに／もしくは実装させることを理解されたい。具体的には、本明細書に説明されるステップ、動作、または機能のうちのいずれも、そのようなコンピュータ実行可能命令の形態で実装され、無線および／または有線ネットワーク通信のために構成される装置またはコンピューティングシステムのプロセッサ上で実行し得る。コンピュータ読み取り可能な記憶媒体は、情報の記憶のための任意の非一過性（すなわち、有形または物理）方法もしくは技術で実装される、揮発性および不揮発性媒体、取り外し可能および非取り外し可能媒体の両方を含むが、そのようなコンピュータ読み取り可能な記憶媒体は、信号を含まない。コンピュータ読み取り可能な記憶媒体は、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光学ディスク記憶装置、磁気カセット、磁気テープ、磁気ディスク記憶装置もしくは他の磁気記憶デバイス、または所望の情報を記憶するために使用されることができ、かつコンピュータによってアクセスされることができる、任意の他の有形もしくは物理的媒体を含むが、それらに限定されない。
【００９７】
（ＮＲ−ＳＳ信号設計）
本願の側面によると、スケーラブルＤＬ同期チャネル設計が、説明される。本設計は、図３Ａ−Ｅに示され、上記に説明されるような５Ｇ  ＵＥが、サブキャリア間隔にかかわらず、盲目的タイミングおよび周波数入手を実施することを可能にする。これは、一次および／または二次同期チャネルのために使用され得る。本願によると、ＤＬ同期設計方法は、異なる数秘術をサポートすることが可能であることが想定される。その結果、５Ｇ  ＵＥは、ｙ×Δｆのための具体的サブキャリア間隔または共通ＤＬ同期のいずれかに基づいて、全ての５Ｇ数秘術のためのタイミング同期および入手を実施することが可能であるべきである。
【００９８】
ある実施形態によると、ＤＬ同期プロトコルが、最小サブキャリア間隔をサポートするために提供される。言い換えると、特定の５Ｇアプリケーションが、種々のサブキャリア間隔、例えば、Δｆ、２Δｆ、・・・ＭΔｆをサポートする場合、ＤＬ同期は、最小サブキャリア間隔を使用するであろう。好ましくは、ＤＬ同期設計は、ＺＣシーケンスに基づいて、スケーラブル間隔係数ｙを搬送する。５Ｇアプリケーションのための最小サブキャリア間隔に基づくＰＳＳ周波数配分のための例示的シーケンスは、図４Ａに図示される。
【００９９】
別の実施形態によると、ＤＬ同期アーキテクチャは、展開、例えば、屋内／屋外、スモールセル／ピコセル等に基づいて、それ自体のデフォルトサブキャリア間隔＝ｙ×Δｆを有するセルをサポートするように設計され。ここでは、スケーラブルサブキャリア間隔係数は、
【数１０−１】
2019517182.tif 000017
であってΔｆは、５Ｇシステム内でサポートされる最小サブキャリア間隔を示す。故に、５Ｇシステムが、ｙ×Δｆを伴う具体的サブキャリア間隔をサポートし、Ｍが最大スケーラブルサブキャリア間隔係数である場合、ＤＬ同期チャネル（ＰＳＳおよびＳＳＳ）は、周波数ドメイン内でＮ×ｙ×Δｆに及ぶ。Ｎは、ＤＬ同期チャネル長である。好ましくは、ＤＬ同期設計は、ＺＣシーケンスに基づいて、スケーラブル間隔係数ｙを搬送する。５ＧアプリケーションのためのＰＳＳ周波数配分ベースの２Δｆサブキャリア間隔のための例示的シーケンスは、図４Ｂに示される。
【０１００】
ある実施形態によると、スケーラブルサブキャリア間隔係数は、ＰＳＳ信号上で搬送されることができる。ＰＳＳ信号は、ＢＰＳＫ、ＱＰＳＫ、または直交振幅変調（ＱＡＭ）等のより高次の変調のいずれかを使用し、スケーラブルサブキャリア間隔係数ｙのための余剰情報を搬送することができる。例えば、ＰＳＳ信号は、以下の方程式のように生成されることができる。
【数１１】
2019517182.tif 000018
【０１０１】
式中、ｄは、ＢＰＳＫ、ＱＰＳＫ、またはＱＡＭシンボルである。情報の量は、変調次数によって限定される。例えば、
【数１１−１】
2019517182.tif 000019
である場合、ｄとｙとの間の関係マッピングは、以下の表７に示され得る。
【表７】
2019517182.tif 000020
【０１０２】
別の実施形態によると、スケーラブルサブキャリア間隔係数は、ＳＳＳ上で搬送されることができる。ＳＳＳシーケンス構造の例示的設計は、以下によって与えられる。
【数１２】
2019517182.tif 000021
【０１０３】
式中、ａｕ（ｐ），ｐ＝｛０，１｝は、以下のように表される、ルートｕ（ｐ）、スケーラブルサブキャリア間隔係数ｙ、および長さＮを伴う、ＺＣシーケンスの代替形態である。
【数１３】
2019517182.tif 000022
【０１０４】
奇数長Ｎおよびルートｕ（ｐ）を伴うＺＣシーケンスａｕ（ｐ）（ｎ）、Ｎと互いに素である場合、ａｕ（ｐ）（ｙｎ）として示されるａｕ（ｐ）（ｎ）の係数ｙを伴うデシメートされたシーケンスは、依然として、ＺＣシーケンスである。対応するＺＣシーケンスａｕ（ｐ）（ｙｎ）は、以下の性質を有するであろう。
【数１４】
2019517182.tif 000023
または、シーケンスのルートは、以下の関係を有する。
【数１５】
2019517182.tif 000024
【０１０５】
例えば、Ｎ＝３１、ｕ（０）＝２３、およびｙ＝２である場合、デシメートされたシーケンスａｕ（０）＝２３（ｎ）は、ルートｖ（０）＝３０＝ｍｏｄ（２３×２，２、Ｎ）を伴うＺＣシーケンスと等価となり、すなわち、以下となる。
【数１５−１】
2019517182.tif 000025
【０１０６】
シーケンスｂｙ（ｎ）は、ベースシーケンスｂ（ｎ）の巡回シフトから成る長さＮを伴うスクランブリング（またはマスキング）シーケンスである。ｙは、巡回シフト
【数１５−２】
2019517182.tif 000026
のインジケータである。プリミティブシーケンスｂ（ｎ）は、ｍ−シーケンスまたはゴールドシーケンスのいずれかから選定されることができる。ＵＥが、ＳＳＳ検出を実施するとき、出力は、それぞれ、ｖ（０）＝ｕ（０）ｙ２およびｖ（１）＝ｕ（１）ｙ２の推定を有するであろう。加えて、ｙ値の推定は、Ｍ相関器の出力から取得されることができる。これは、ｙの異なる値毎に低相互相関を有する提案されるＳＳＳ（ｐ）（ｎ）に起因する。したがって、ｕ（ｐ）は、（方程式６）から導出されることができる。最後に、合成された
【数１５−３】
2019517182.tif 000027
は、以下のように表されることができる。
【数１６】
2019517182.tif 000028
式中、
【数１６−１】
2019517182.tif 000029
は、
【数１６−２】
2019517182.tif 000030
のためのマッピング関数である。
【０１０７】
例示的実施形態によると、ＳＳＳ検出機能アーキテクチャが、図５に図示される。ここでは、ＳＳＳリソースマッピングは、ブロックインターリーバであることができる。代替として、ＳＳＳリソースマッピングは、サブキャリアインターリーバであることができる。一実施形態では、ＳＳＳリソースマッピングは、前述の技法に従うことができる。本実施形態によると、図６Ａは、シンボルインターリービングを用いた最小サブキャリア間隔上の２Δｆサブキャリア間隔のためのＳＳＳ  ＤＬ同期シーケンス周波数配分を図示する。図６Ｂは、ブロックインターリービングを用いた最小サブキャリア間隔上の２Δｆサブキャリア間隔のためのＳＳＳＤＬ同期シーケンス周波数配分を図示する。さらに、図６Ｃは、シンボルインターリービングを用いた２Δｆサブキャリア間隔を伴う２Δｆサブキャリア間隔のためのＳＳＳ  ＤＬ同期シーケンス周波数配分を図示する。図６Ｄは、ブロックインターリービングを用いた２Δｆサブキャリア間隔を伴う２Δｆサブキャリア間隔のためのＳＳＳ  ＤＬ同期シーケンス周波数配分を図示する。
【０１０８】
さらに別の実施形態によると、スケーラブルサブキャリア間隔係数を用いたＵＥ同期プロシージャが、説明される。ここでは、スケーラブルサブキャリア間隔係数は、ＰＳＳまたはＳＳＳのいずれかに組み込まれる。第１のステップでは、ＵＥは、一次同期信号検出を実施する。第２のステップでは、ＵＥは、二次同期信号検出を実施する。次いで、ＵＥは、セル識別検出を実施する。この後に、確認が続く。最後に、ＵＥは、ＰＢＣＨデコードを実施する。
【０１０９】
ある実施形態によると、例えば、図７Ａに示されるように、スケーラブルサブキャリア間隔係数ｙがＰＳＳ上で搬送される場合、以下のプロトコルが続く。アラビア数字は、ステップのために列挙される。例えば、ＰＳＳ検出段階（ステップ１）では、ＵＥは、受信されたＰＳＳをＱ個の可能なＰＳＳシーケンスと相互に関係づける。ここでは、Ｑは、サポートされ得る最大数の異なるＰＳＳシーケンスである。ＵＥはまた、最大相関結果に関連付けられた最強ピークを選定し、対応する
【数１６−３】
2019517182.tif 000031
およびその対応するルートシーケンスｕを取得する（ステップ２）。次に、ＵＥは、シンボルｄの取得に進み、対応するスケーラブルサブキャリア間隔係数ｙを導出する（ステップ２ｂ）。その後、ＵＥは、相関ピークの時間位置から入手されたシンボルタイミング境界を取得する。これはまた、ＳＳＳのシンボルタイミング境界である。
【０１１０】
次に、ＳＳＳ検出段階では、ＵＥは、受信された信号とＰ個の可能なＳＳＳシーケンスを相互に関係づけるステップを実施する（ステップ３）。Ｐは、サポートされ得る最大数の異なるＳＳＳシーケンスである。次に、ＵＥは、最強ピークを選択し、対応する
【数１６−４】
2019517182.tif 000032
を取得する（ステップ４）。ＵＥが、信頼性のある相関結果を見出すことができない場合、ＵＥは、相互に関係づけるステップに戻り、次の
【数１６−５】
2019517182.tif 000033
を検出する（ステップ４ｂ）。そうでなければ、ＵＥは、同期のために、
【数１６−６】
2019517182.tif 000034
および
【数１６−７】
2019517182.tif 000035
を介して、セルＩＤ
【数１６−８】
2019517182.tif 000036
を計算する（ステップ５）。次いで、ＵＥは、ステップ６において、物理ブロードキャストチャネル（ＰＢＣＨ）のデコードに進む。
【０１１１】
別の実施形態によると、図７Ｂに示されるように、例えば、スケーラブルサブキャリア間隔係数ｙは、ＳＳＳを介して、導出され得る。以下のプロトコルが、本シナリオにおいて採用される。具体的には、ＰＳＳ検出段階では、ＵＥは、受信された信号をＱ個の可能なＰＳＳシーケンスと相互に関係づけ得る（ステップ１）。Ｑは、サポートされ得る最大数のＰＳＳシーケンスである。次に、ＵＥは、最強ピークを選択し、そのルートシーケンスｕを伴う対応する
【数１６−９】
2019517182.tif 000037
を取得する（ステップ２）。次いで、波形、例えば、ＯＦＤＭ、Ｆ−ＯＦＤＭシンボルが、取得される。波形シンボルは、相関ピークの入手された時間位置から生じる。これはまた、ＳＳＳのタイミング境界を提供する。
【０１１２】
次に、ＳＳＳ検出段階では、ＵＥは、受信された信号とＰ個の可能なＳＳＳシーケンスを相互に関係づけるステップを実施する（ステップ３）。Ｐは、サポートされ得る最大数の異なるＳＳＳシーケンスである。次に、ＵＥは、最強ピークを選択し、対応するルートシーケンスｖを取得する。対応するスケーラブルサブキャリア間隔係数ｙもまた、導出される（ステップ４に先立って）。ルートｖおよびスケーラブルサブキャリア間隔係数ｙを取得後、ルートｕが、取得され（方程式（６）を介して）、対応する
【数１７】
2019517182.tif 000038
値を計算する（ステップ４）。ＵＥが、信頼性のある相関結果を見出すことができない場合、ＵＥは、前述の相互に関係づけるステップに戻り、次の
【数１７−１】
2019517182.tif 000039
を検出する（ステップ４ｂ）。そうでなければ、ＵＥは、同期のために、
【数１７−２】
2019517182.tif 000040
および
【数１７−３】
2019517182.tif 000041
を介して、セルＩＤ
【数１７−４】
2019517182.tif 000042
を計算する（ステップ５）。次いで、ＵＥは、ステップ６において、ＰＢＣＨデコードに進む。
【０１１３】
（ＤＬ同期チャネルプリアンブル識別の拡大）
ＤＬ同期プリアンブル設計が、より多くのプリアンブル識別を搬送する目的のために、プリアンブルＩＤ設計を拡大するために提案される。ＤＬ同期チャネル信号は、ＣＡＺＡＣまたはＺＣシーケンスの２つの組み合わせを使用することができる。それらの２つのＣＡＺＡＣシーケンスは、サブキャリアインターリーブまたはブロックインターリーブであることができる。図８は、ＦＤ内のサブキャリアインターリーブとして２つのＣＡＺＡＣシーケンスを示す。
【０１１４】
本願の側面によると、ＮＲシステムのためのビーム形成ベースの初期アクセスを改良および提供するためのソリューションが、説明される。別の側面では、ＲＲＣ＿Ｃｏｎｎｅｃｔｅｄ状態におけるビーム形成訓練が、説明され、さらに別の側面では、ＮＲシステムのために設計されるフレキシブルなフレーム構造が、説明される。
【０１１５】
ある実施形態では、ネットワーク上の装置は、ネットワーク内のビーム形成訓練のためのその上に記憶された命令を伴う、非一過性メモリを含むように説明される。装置はまた、非一過性メモリに動作可能に結合され、（ｉ）ノードから、ビーム形成訓練基準信号を受信し、（ｉｉ）ビーム形成訓練基準信号内のいくつかのビームを決定し、（ｉｉｉ）いくつかのビームからビームを選択し、（ｉｖ）選択されたビームのシンボルタイミング、サブフレーム、およびフレームタイミングを計算し、（ｖ）選択されたビームのためのビーム識別をデコードする命令を実行可能である、プロセッサを含む。
【０１１６】
ある側面では、プロセッサはさらに、ビーム識別に関連付けられた物理ブロードキャストチャネルをデコードする命令を実行可能である。別の側面では、プロセッサはさらに、アップリンク伝送ビーム形成を採用するビーム識別フィードバックを新しい無線ノードに伝送する命令を実行可能である。さらに別の側面では、プロセッサはさらに、ビーム入手肯定応答を新しい無線ノードから受信する命令を実行可能である。なおもさらに別の側面では、プロセッサはさらに、ビーム識別に関連付けられた物理ブロードキャストチャネルをデコードする命令を実行可能である。
【０１１７】
ある実施形態では、ＢＦ掃引およびＢＦ訓練は、ＮＲ−ノード、伝送および受信点（ＴＲＰ）、または遠隔無線ヘッド（ＲＲＨ）において行われてもよいことが想定される。その結果、ＮＲ−ノード、ＴＲＰ、およびＲＲＨは、相互交換可能であり得る。さらに、ＤＬおよび／またはＵＬ伝送を含む時間インターバルは、異なる数秘術のためにフレキシブルであって、ＲＡＮスライスは、静的または半静的に構成され得る。そのような時間インターバルは、サブフレームと称される。
【０１１８】
（ビーム形成ベースの初期アクセス）
ある実施形態では、ＮＲ−ノードは、周期的ビーム形成訓練基準信号（ＢＴ−ＲＳ）をＵＥに伝送し、初期アクセスを実施することができる。周期的ＢＴ−ＲＳは、初期アクセス段階の間、ＵＥのための２つの主要な機能のためにサービス提供されることができる。
【０１１９】
これらの機能のうちの１つは、ＤＬタイミング−周波数同期およびＰＢＣＨ復調を含む。ＢＴ−ＲＳは、各周期的初期アクセスＤＬ伝送インターバルにおいて、Ｎ個の（広）ビームを通した掃引を介して伝送される。各ビーム初期アクセスＤＬ伝送持続時間が、Ｑ個のＯＦＤＭシンボルに設定され、Ｋ個のビームが、各ビーム伝送持続時間において、ＤＬビーム掃引を同時に行う場合、全てのＮビームのための総伝送持続時間は、
【数１７−５】
2019517182.tif 000043
ＯＦＤＭシンボルと等しい。ＢＴ−ＲＳは、周波数ドメイン内のＬ個のサブ帯域を占有することができる。全ての数秘術もしくはスライスサブ帯域は、同一ＢＴ−ＲＳサブ帯域を共有することができる、または各数秘術もしくはスライスサブ帯域は、それ自体のＢＴ−ＲＳサブ帯域を有する。総Ｎ＝６ビームの実施例は、図９に示される初期アクセスのために設定される。ＢＲ−ＲＳが、各ビーム伝送持続時間における単一ビーム伝送のためだけに構成される、すなわち、Ｋ＝１の場合、各ビーム伝送持続時間は、Ｑ＝２シンボルに設定される。ＢＴ−ＲＳの周期性Ｐは、例証における実施例として、５時間インターバルｘに設定される。故に、総ＢＴ−ＲＳ伝送持続時間は、ＢＴ−ＲＳを搬送する、
【数１７−６】
2019517182.tif 000044
ＯＦＤＭシンボル／時間インターバルと等しい。シーケンシャルビーム掃引が、図１０Ａに示される。並行掃引が、図１０Ｂに示され、総ＢＴ−ＲＳ伝送持続時間は、
【数１７−７】
2019517182.tif 000045
シンボルと等しい。ハイブリッド掃引が、図１０Ｃに示され、総ＢＴ−ＲＳ伝送持続時間は、
【数１７−８】
2019517182.tif 000046
シンボルと等しい。
【０１２０】
ＢＴ−ＲＳ伝送の周期性Ｐ、ビーム伝送持続時間のためのシンボル持続時間の数Ｑ、ビーム伝送の同時数Ｋは、それぞれ、ＮＲシステム内の複数の数秘術またはＲＡＮスライスをサポートするように独立して構成されることができ、図１０Ｃに示されるように、数秘術または３ＲＡＮスライスサブ帯域は、それ自体のＢＴ−ＲＳを個々に周波数内に含む。
【０１２１】
ＢＴ−ＲＳ構成のための２つの可能なオプションが、存在する。１つのオプションは、各サポートされる数秘術またはＲＡＮスライスが、それ自体のＢＴ−ＲＳ設定／構成を有するものである。別のオプションは、複数の数秘術またはＲＡＮスライスが、同一ＢＴ−ＲＳ設定／構成を共有するものである。
【０１２２】
以下の実施例では、２異なる数秘術がＮＲシステム内でサポートされると仮定する。一般性を失うことなく、一方の数秘術（数秘術１）は、他方（数秘術２）より広いサブキャリア間隔を有すると仮定する。故に、数秘術１は、数秘術２より短いシンボル時間を有する。図１１に示される本実施例では、数秘術１に関しては、Ｎ１＝５、Ｋ１＝１、およびＱ１＝１を用いて、数秘術２に関しては、Ｎ２＝３、Ｋ２＝１、およびＱ２＝２を用いてブロードキャストすると仮定する。数秘術１ＢＴ−ＲＳの周期性は、本実施例では、２つのサブフレーム（すなわち、Ｐ＝２）に設定され、数秘術２ＢＴ−ＲＳの周期性は、５つのサブフレーム（すなわち、Ｐ＝５）に設定される。異なる数秘術はまた、初期アクセスのために同一ＢＴ−ＲＳ設定を共有することができる、すなわち、ＵＥは、全てのサポートされる数秘術のために共有ＢＴ−ＲＳ設定を検出する必要のみある。
【０１２３】
図１１では、２つのサポートされる数秘術を用いた共有ＢＴ−ＲＳが、示される。本実施例では、ＮＲ−ノード／ＴＲＰは、２つの数秘術と、ＵＥが初期アクセスを実施するための共有ＢＴ−ＲＳ設定のみとをサポートする。ＢＴ−ＲＳは、待ち時間、デバイス能力等のＢＦ掃引要件に応じて、数秘術サブ帯域のいずれかに配分され得る。
【０１２４】
さらに、ＢＴ−ＲＳは、自己完結型サブフレーム内でサポートされることができる。自己完結型サブフレームでは、ＢＴ−ＲＳは、インターバルｘを伴って、既知の周波数−時間ＤＬリソースｉに設置されることができる。図１２では、ＮＲ  ＢＴ−ＲＳは、開始ＤＬシンボルに設置され、その周期性は、Ｐ＝５インターバルに設定される。ＢＴ−ＲＳ設定は、図１３Ａに示されるように、固定構成を伴って事前に定義され得る、または図１３Ｂに示されるように、インターバルが異なる数秘術を用いて再構成されるとき、半静的に構成され得る。ＮＲ−ノードまたはＴＲＰによる再構成は、ＵＥに、ＲＲＣまたはＭＡＣメッセージ等のシステム情報ブロードキャストまたは高層シグナリングを介して示され得る。
【０１２５】
（セル（またはセクタもしくはＲＡＮスライス）同期およびタイミング入手）
ある実施形態では、ＵＥが、初期アクセス段階にあって、セル／セクタ／ＲＡＮスライスタイミング情報の知識を有していないとき、ＵＥは、周期的伝送ＢＴ−ＲＳを監視し、シンボルタイミング、サブフレーム、およびフレームタイミングを入手することができる。ＵＥは、ＲＸビーム形成を使用して、または使用せずに、相関するＮ個のビーム（またはＮ個の仮定数）に基づいて、タイミング同期を実施することができる。Ｎは、ＵＥがＢＴ−ＲＳ内のビームの数を決定し得るように、ＢＴ−ＲＳがカウンタに関連付けられ得るため、ＵＥに既知であり得る。
【０１２６】
ＤＬ初期アクセス信号は、ＤＬ同期チャネル（信号）、ビーム基準信号、およびＰＢＣＨチャネルを含み、ＤＬ初期アクセス信号は、ＤＬビーム掃引ブロックによって搬送され、各ビーム掃引ブロックは、単一ＯＦＤＭまたは複数のＯＦＤＭシンボルのいずれかを含み、ＤＬビーム掃引サブフレームは、複数のビーム掃引ブロックを含み得、ＤＬ同期チャネルＰＳＳおよびＳＳＳは、異なるＯＦＤＭシンボルに設置されることができ、ビーム掃引ブロックは、１つのみのＤＬ同期チャネルを含み、ビーム基準信号およびＰＢＣＨは、同一ＯＦＤＭシンボルまたは異なるＯＦＤＭシンボル内に共存し得、ＰＢＣＨは、ＤＬ同期チャネルおよびビーム基準信号と異なる伝送期間を有し得る。
【０１２７】
ＤＬ同期チャネルが、セルおよびビームＩＤの両方を搬送する場合、ＵＥは、検出されるべきＤＬビーム掃引ブロックを把握することができ、検出されたビーム掃引ブロックとＤＬ掃引サブフレームとの間のタイミングオフセットを計算することが可能である。
【０１２８】
ＤＬ同期チャネルが、セルＩＤをのみ搬送する場合、ＵＥは、ビームＩＤをビーム基準信号から検出することができる。したがって、ＵＥは、検出されるべきＤＬビーム掃引ブロックを把握することができ、検出されたビーム掃引ブロックとＤＬ掃引サブフレームとの間のタイミングオフセットを計算することが可能である。
【０１２９】
ＮＲでは、初期アクセスプロシージャは、以下の４つのサブプロシージャおよび信号から成る。
【０１３０】
１．初期同期およびセル検索
ＤＬ同期チャネル：ＰＳＳおよびＳＳＳ
【０１３１】
２．ビーム訓練および追跡
ビーム基準信号
【０１３２】
３．ＭＩＢシステム情報送達
ＰＢＣＨチャネル
【０１３３】
４．ランダムアクセス
ＵＬ  ＰＲＡＣＨチャネル
【０１３４】
ＮＲは、ＬＦ−ＮＲ（すなわち、６ＧＨｚを下回る）およびＨＦ−ＮＲ（すなわち、６ＧＨｚを上回る）展開の両方をサポートする。ＬＦ−ＮＲでは、単一のより広いビームが、対象範囲のために十分であり得る。しかしながら、ＨＦ−ＮＲでは、単一より広いビームは、対象範囲のために十分ではない場合がある。したがって、複数の狭いビームが、ＨＦ−ＮＲにおける対象範囲を向上させるための好ましいソリューションである。故に、ＮＲは、初期アクセス信号伝送のために、単一ビームベースの（または単一セクタ）およびマルチビーム（マルチセクタ）ベースのアプローチの両方をサポートし得る。初期アクセス信号は、ＤＬ同期チャネル（例えば、ＰＳＳ／ＳＳＳ、ビーム形成基準信号、およびＰＢＣＨチャネル）を含む。初期アクセス信号伝送のための単一およびマルチビーム実装は、図１４に図示される。図１４Ａでは、ＤＬ初期アクセス信号は、単一のより広いビームを用いて伝送される。図１４Ｂでは、ＤＬ初期アクセス信号は、各狭いビームを用いて伝送され、各狭いビームは、２Ｄビーム瞬間のために異なる水平角度を照準している。
【０１３５】
大量の複数のビームを同時に伝送することは、ＮＲ−ノードでは限定され得るため、１つの可能なソリューションは、ビーム掃引方法を使用してＤＬ初期アクセス信号のためのマルチビームを伝送することである。ビームを掃引するための時間単位としての掃引ブロック、例えば、ＯＦＤＭシンボルまたは複数のＯＦＤＭシンボルが、定義される。単一ビームまたは複数のビームのいずれかを掃引ブロック（時間）において掃引する。加えて、ビーム掃引サブフレームは、複数の掃引ブロックから成り得る。図１５は、ＤＬ掃引サブフレームおよびブロックの実施例を示す。ＤＬビーム掃引サブフレームは、時間Ｔにおいて周期的に伝送され得る。本周期的時間Ｔは、ＵＲＬＬＣ、ｍＭＴＣ、またはｅＭＢＢサービス等の異なるアプリケーションに伴って変動し得る。加えて、単一または複数の掃引サブフレームが、ＮＲシステム内で使用されることができる。
【０１３６】
ビーム掃引ブロックは、ＤＬ同期チャネル（ＰＳＳ／ＳＳＳ）、ビーム追跡基準信号、およびＰＢＣＨチャネル等のＤＬ初期アクセス信号を搬送し得る。ＯＦＤＭシンボルのうちの１つが、ビーム掃引ブロックあたりで使用される場合、ＤＬ同期チャネル、ビーム基準信号、およびＰＢＣＨは、ＯＦＤＭシンボル内に共存すべきである。この場合、ＤＬ同期チャネル、ビーム基準チャネル、およびＰＢＣＨは、ＯＦＤＭシンボル内のＦＤＭである。複数のＯＦＤＭシンボルが、ビーム掃引ブロックあたりで使用される場合、各ビーム掃引ブロックは、以下のオプションを有することができる。
【０１３７】
（ｉ）ＤＬ同期チャネルＰＳＳ／ＳＳＳは、異なるＯＦＤＭシンボルに設置されることができる。
【０１３８】
（ｉｉ）１つのみのＤＬ同期チャネルが、ビーム掃引ブロック内にあって、ＰＳＳは、ビーム掃引ブロック内の最後のＯＦＤＭシンボルまたは最初のシンボルのいずれかにある。
【０１３９】
（ｉｉｉ）ビーム基準信号およびＰＢＣＨは、同一ＯＦＤＭシンボルまたは異なるＯＦＤＭシンボル内に共存することができる。または
【０１４０】
（ｉｖ）ＰＢＣＨは、ＤＬ同期チャネルおよびビーム基準信号と異なる伝送期間を有し得る。
【０１４１】
単一ＯＦＤＭシンボルを伴う例示的ビーム掃引ブロックが、図１６Ａに提示される。本実施例では、ＤＬ同期およびＰＢＣＨは、共存する。複数のＯＦＤＭシンボルを伴うビーム掃引ブロックの実施例は、図１６Ｂに提示される。本例示的図では、ＤＬ同期、ＰＢＣＨ、およびビーム基準信号は、異なるＯＦＤＭシンボルに設置されることができる。しかしながら、１つのみのＤＬ同期が、ビーム掃引ブロック内に存在する。
【０１４２】
ビーム掃引を実施するために、ＮＲ−ノードは、各掃引ブロックの間、ビームのサブセットを有効にする。単一ビームまたはマルチビームのいずれかが、ビーム掃引ブロックに関連付けられることができる。図１７Ａは、４つのビームから成る１つのセクタが掃引ブロックあたり有効にされる、実施例を示す。本実施例では、１２のビームのフルセットが、３つの掃引ブロック内で掃引される。図１７Ｂは、各セクタ内の１つのビームが掃引ブロックあたり有効にされる、実施例を示す。本実施例では、１２のビームのフルセットが、４つの掃引ブロック内で掃引される。
【０１４３】
掃引ブロックは、自己完結型サブフレームのために採用されることができる。図１８は、ＤＬ掃引ブロックがＲｘ／Ｔｘ切り替えを可能にするためのガード期間によって分離される、自己完結型掃引サブフレーム構造の実施例を示す。
【０１４４】
（ビーム掃引ブロック内のＤＬ同期チャネル設計）
前述のように、単一ＤＬ同期チャネル（信号）のみが、ビーム掃引ブロック毎に存在することができる。しかしながら、ＤＬ掃引サブフレームがいくつかの掃引ブロックを含むため、ＵＥは、ＤＬ掃引サブフレームの間、複数のＤＬ同期チャネルを検出し得る。故に、それらの検出された複数のＤＬ同期チャネルは、ＯＦＤＭシンボルまたはサブフレームタイミングを曖昧にさせ得る。故に、タイミングオフセットは、補償され、ＤＬ同期チャネル（信号）のマルチビーム伝送に起因する本タイミング曖昧性を解決する必要がある。これは、以下によって遂行され得る。
【０１４５】
ＤＬ同期チャネルが、セルおよびビームＩＤの両方を搬送する場合、ＵＥは、セルおよびビームＩＤをＤＬ同期チャネルから検出することができる。したがって、ＵＥは、検出されるべきＤＬビーム掃引ブロックを把握することができ、検出されたビーム掃引ブロックからＤＬ掃引サブフレームまでのタイミングオフセットを計算することが可能である。
【０１４６】
ＤＬ同期チャネルが、セルＩＤのみを搬送する場合、ＵＥは、ビームＩＤをビーム基準信号から検出することができる。したがって、ＵＥは、検出されるべきＤＬビーム掃引ブロックを把握することができ、検出されたビーム掃引ブロックからＤＬ掃引サブフレームまでのタイミングオフセットを計算することが可能である。例えば、ビーム基準信号は、セルＩＤに結び付けられ得るが、その周波数および／または時間リソースは、セル内の異なるビームに関して異なり得る。これは、ＵＥがビーム基準信号を使用して一意にビーム識別することを可能にする１つの方法である。
【０１４７】
一意のビームＩＤが、セル内のビーム毎に使用され得、これは、所与のＴＲＰのビームが同一ＴＲＰ内で相互に区別されることを可能にする。地理的エリア内の複数のＴＲＰからのビームは、ビームが、曖昧性を伴わずに、相互に区別され得るように、それら毎に一意のビームＩＤを備えているべきである。一意のビームＩＤの設計は、ビームの測定およびビーム内ハンドオフを有効にするために必要である。特に、＞６ＧＨｚ展開では、セルは、ＴＲＰを通して数百個のビームをサポートするであろうと予期される。ビームＩＤを決定するプロセスにおける仮定数検索の数を最小限にすることが、望ましい。したがって、ビームが以下に概略されるような２ステッププロセスにおいて識別され得る、ビーム識別プロシージャが、提案される。
【０１４８】
ステップ１：セルＩＤを決定する−セルＩＤは、最初のステップにおいて識別され、ビームＩＤを検索する回数を最小限にすることが、提案される。これは、セルＩＤが決定されると、ブラックリストに入れられている場合、ＵＥがそのセル内のビームの検索を中止し得るため、重要なステップである。例えば、セルＩＤは、ＬＴＥのものに類似するＰＳＳおよびＳＳＳを使用して決定され得る。しかしながら、本ステップは、ＰＳＳおよびＳＳＳがサブフレーム／フレーム内の異なる時間に生じるビーム上にあるため、フレームタイミングを提供することができないことに留意されたい。
【０１４９】
ステップ２：ビームＩＤを決定する−ビームＩＤは、セルＩＤの知識が取得された後に取得される。これを遂行する１つの方法は、第３の同期信号（ＴＳＳ）をフレーム内の固定場所にプロビジョニングすることである。ＴＳＳシーケンスは、ビームＩＤ（またはビームの基準信号のリソース）によって使用されるセルＩＤおよびリソースによって決定され得る。ＵＥが、セルＩＤを取得すると、ビームに関する可能な仮定数を解決し、ビームＩＤを検出する。次いで、ＴＳＳおよび検出されたビーム掃引ブロックの場所を使用して、フレームタイミングを取得する。検出されたビーム掃引ブロックの相対的場所は、そのビームＩＤを示す。
【０１５０】
例示的実施形態が、図１９に示され、ここでは、そのＰＳＳおよびＳＳＳがビーム掃引の形態で異なるシンボル内で伝送される、３つのビームが存在する。ＴＳＳリソースは、サブフレームの０番目のシンボル内に配分される。各ビーム上のＴＳＳは、図示されるように、異なるリソースを共有し得る。異なるビームが同一リソースを共有するＴＳＳの可能性も、特に、ビームが空間的に重複しないとき、除外されない。ＵＥが最良ＰＳＳ／ＳＳＳを検出すると（最良ＳＩＮＲまたは最高受信信号強度を提供する、ビームに基づいて）、セルＩＤを決定する。本実施例では、ＵＥがＴＳＳの時間−場所に関する３つの仮定数を有すると、ＴＳＳのデコードに進み、ＳＩＮＲを最大限にするものを選択する。
【０１５１】
さらに、前述のスキームに関して、ビーム基準信号がセルＩＤおよびビームＩＤに結び付けられることが、提案される。同様に、ビーム上の全ての伝送が、セルＩＤおよびビームＩＤの両方に結び付けられるであろう。例えば、ＰＢＣＨ、ＤＣＩ、およびＰＤＳＣＨ等のＰＨＹチャネルをスクランブリングするために使用されるスクランブリングシーケンスは、セルＩＤおよびビームＩＤの両方をともに使用して生成される。
【０１５２】
図２０は、ＤＬビーム掃引ブロックがビーム掃引サブフレーム内の４つの掃引ビームを有効にする、シナリオを図示する。掃引ビームは、ビームＩＤに関連付けられる必要があるため、本ビームＩＤは、ビームＩＤを搬送するためのビーム基準信号を使用せずに、ＰＳＳ／ＳＳＳ等のＤＬ同期チャネルシーケンスに組み合わせられることができる。ＤＬ同期チャネルが、セルおよびビームＩＤの両方を搬送する場合、ＵＥは、最良ビームをＤＬ同期信号から検出する。これは、ＵＥが検出されるべきＤＬビーム掃引ブロックを把握することに匹敵する。したがって、ＵＥは、検出された掃引ブロックからＤＬ掃引サブフレームまでのタイミングオフセットを把握することができる。
【０１５３】
ビーム形成ベースの初期アクセスのための側面が、ここで以下に詳細に説明される。ＮＲシステム内の初期信号設計のためのＤＬ同期チャネルは、アドレス指定される。ＮＲは、ＬＦ−ＮＲ（すなわち、６ＧＨｚを下回る）およびＨＦ−ＮＲ（すなわち、６ＧＨｚを上回る）展開の両方をサポートする。ＬＦ−ＮＲでは、単一のより広いビームが、対象範囲のために十分であり得る。しかしながら、ＨＦ−ＮＲでは、単一のより広いビームは、対象範囲のために十分ではない場合がある。したがって、複数の狭いビームが、対象範囲を向上させるための好ましいソリューションである。故に、ＮＲシステムは、初期アクセス信号伝送のために、単一ビームベースの（または単一セクタ）およびマルチビームベースの（マルチセクタ）アプローチの両方をサポートし得る。初期アクセス信号は、ＤＬ同期チャネル、すなわち、ＰＳＳ／ＳＳＳおよびＰＢＣＨチャネルを含む。さらに、ＤＬ同期チャネルをブロードキャストするためのビーム掃引時間単位の単位として取り扱われ得る、ＤＬ初期アクセスビーム掃引ブロックと、初期アクセスのためのＮＲ−ＰＢＣＨとを定義する。各掃引ブロックは、少なくとも１つ以上のＣＰ−ＯＦＤＭシンボルから成り得る。複数のブロックは、ビーム掃引バーストを形成することができる。ここでは、掃引バーストの長さは、バースト内のビーム掃引ブロックの数を指す。例えば、ビーム掃引バースト長は、Ｍと等しい場合、Ｎ個の掃引ブロックがバースト内に存在する。図２１Ａでは、ＤＬ同期チャネルおよびＮＲ−ＰＢＣＨのためのＤＬ掃引バーストおよびブロックの実施例が、描写される。ＤＬビーム掃引バーストは、周期的時間Ｔを伴って、周期的に伝送され得る。本期間Ｔは、ＵＲＬＬＣ、ｍＭＴＣ、もしくはｅＭＢＢサービス等の異なるアプリケーションに伴って、または異なる周波数帯域（もしくは周波数範囲）および数秘術に伴って、変動され得る。
【０１５４】
ＮＲ−ＰＳＳは、主に、シンボルタイミングおよび／またはサブキャリア間隔の検出のために使用され得る。ＮＲ−ＳＳＳが、サブフレームインデックスを導出し、シンボル／サブフレームインデックスを導出するために使用されることができる場合、ＮＲ−ＳＳＳ識別は、部分的セルＩＤ  ＮＩＤ（２）およびシンボルをサブフレームカウンタ／インデックスＮｌｏｃの両方を搬送する。ＵＥは、ＤＬ掃引サブフレームがいくつかの掃引ブロックを含むため、ＤＬ掃引バーストの間、複数のＤＬ同期チャネルを検出し得る。故に、それらの検出された複数のＤＬ同期チャネルは、ＣＰ−ＯＦＤＭシンボル／サブフレームタイミングを曖昧にし得る。故に、本明細書では、タイミングオフセットが、ＤＬ同期チャネル（信号）のマルチビーム伝送に起因する本タイミング曖昧性を解決するように補償される必要があり得ると認識される。一実施形態では、ＤＬ同期チャネルが、セルＩＤおよびシンボルからサブフレームまでのインデックス／カウンタを搬送する場合、ＵＥは、セルＩＤを検出し、シンボルからサブフレームまでのインデックス／カウンタをＤＬ同期チャネルのみからフェッチすることができる。したがって、ＵＥは、検出されるべきＤＬビーム掃引ブロックを把握することができ、ＮＲ−ＳＳＳからのカウンタ値から、検出されたビーム掃引ブロックからＤＬ掃引サブフレームまでのタイミングオフセットを計算することが可能である。セルが複数のＴＲＰを所有する、ある場合には、同一セルからの異なるＴｘ−ＴＲＰは、ＮＲ−ＰＳＳおよびＮＲ−ＳＳＳを介して、同一セルＩＤを伝送し得る。
【０１５５】
加えて、ＤＬ同期およびＮＲ−ＰＢＣＨのための周期的ビーム掃引バーストは、ＮＲシステム内で適用されることができる。例えば、異なるＮＲセルが、異なる掃引バースト長を設定し得、バーストの長さは、周波数帯域（または周波数範囲）または数秘術に伴って変動し得る。ＰＢＣＨは、ＣＰ−ＯＦＤＭシンボルが初期アクセスブロックのためのものである場合、ＮＲ−ＰＳＳ／ＮＲ−ＳＳＳとともに同一ＯＦＤＭシンボルまたは異なるＯＦＤＭシンボル内に共存することができる。ある場合には、ＮＲ−ＰＢＣＨは、ＤＬ同期チャネルと異なるチャネルＢＷを有し得る。ＮＲ−ＰＳＳ、ＮＲ−ＳＳＳ、およびＮＲ−ＰＢＣＨのためのサブキャリア間隔は、同一または異なることができる。
【０１５６】
例示的ビーム掃引ブロックでは、ＤＬ同期チャネル（ＮＲ−ＰＳＳ／ＳＳＳ）およびＮＲ−ＰＢＣＨチャネルを搬送し得る。ビーム掃引ブロックが、単一ＣＰ−ＯＦＤＭシステムに関連付けられる場合、ＤＬ同期チャネル（ＮＲ−ＰＳＳ、ＮＲ−ＳＳＳ）およびＮＲ−ＰＢＣＨは、ＯＦＤＭシンボル内に共存する必要があり得る。この場合、ＤＬ同期チャネルおよびＮＲ−ＰＢＣＨは、ＯＦＤＭシンボル内で周波数分割多重化される（ＦＤＭ）。ある場合には、ＮＲ−ＳＳＳが、ＮＲ−ＰＢＣＨのための復調基準信号である必要がある場合、ＮＲ−ＳＳＳおよびＮＲ−ＰＢＣＨのＲＥは、配分されるＲＢにおいてインターリーブされることができる。ある実施例では、ＮＲ−ＳＳＳおよびＮＲ−ＰＢＣＨのＲＥは、ＮＲ−ＳＳＳおよびＮＲ−ＰＢＣＨのための配分されるＲＢにおいてインターリーブされる。別の実施例では、ＮＲ−ＳＳＳおよびＮＲ−ＰＢＣＨは、異なるリソースブロックに位置し、ＮＲ−ＰＢＣＨおよびＮＲ−ＳＳＳのリソース場所は、周波数帯域／範囲に依存し得る。
【０１５７】
ここで図２１Ｂ、特に、図２１Ｂ（ｉ）および図２１Ｂ（ｉｉ）を参照すると、単一ＯＦＤＭシンボルを伴う掃引ブロックの実施例が、提示される。本実施例では、ＮＲ−ＳＳＳおよびＮＲ−ＰＢＣＨは、同一ＲＢに配分され得るが、それらは、ＲＥインターリーブされる。図２１Ｂ（ｉｉｉ）に示されるように、ＮＲ−ＳＳＳおよびＮＲ−ＰＢＣＨは、異なるリソースブロックに位置し得る。ＮＲ−ＳＳＳおよびＮＲ−ＰＢＣＨの場所は、周波数帯域／範囲に依存し得る。ある場合には、掃引ブロックが、複数のＣＰ−ＯＦＤＭシンボルの複合物である場合、ＮＲ−ＰＳＳＳ、ＮＲ−ＳＳＳ、およびＮＲ−ＰＢＣＨは、異なるＣＰ−ＯＦＤＭシンボルに配置され得る。図２１Ｃ（ｉ）−（ｉｉｉ）では、例示的ＤＬ掃引ブロックが、描写される。ＮＲ−ＰＢＣＨリソースは、ＮＲ−ＳＳＳと同一ＣＰ−ＯＦＤＭであることができる。
【０１５８】
本願の別の側面によると、５Ｇネットワーク内のｅＮＢが、ＰＨＹチャネル伝送のための複数の主要数秘術をサポートするために採用される。「主要数秘術」は、ＤＬ制御およびデータチャネルのためのＣＰ長、サブキャリア間隔、およびシンボル持続時間と、可能性として、いくつかのシステム情報とを定義する、ＰＨＹチャネルパラメータのセットを説明する。例えば、ｅＮＢは、ＤＬ同期信号およびチャネル（ＰＢＣＨ）をシグナリングし、システム情報を搬送するための「共通同期信号数秘術」を使用する。システム情報は、特に、重要なシステム情報を含み得る。ネットワーク内のｅＮＢは、同一同期数秘術を使用するが、それらは、異なる主要数秘術をサポートし得る。
【０１５９】
ある実施形態では、ｅＮＢの主要数秘術は、セルに同期する前に、ＵＥに未知であり得る。しかしながら、ＵＥは、同期数秘術を把握する。そうすることによって、ＵＥは、同期信号数秘術のパラメータを採用し、その初期セル検索を実施する。ＵＥは、次いで、セルのための利用可能なシステム情報をデコードする。
【０１６０】
さらに、同期数秘術を使用して伝送されるシステム情報は、セルのｋ番目のサポートされる主要数秘術のためのフィールドｎｕｍｅｒｏｌｏｇｙＣｏｎｆｉｇ−ｋを搬送する。ｎｕｍｅｒｏｌｏｇｙＣｏｎｆｉｇ−ｋは、例えば、それぞれ、ｋ番目のサポートされる一次数秘術（ｋ≧１）のためのＣＰ長およびサブキャリア間隔を示す、ｃｐＣｏｎｆｉｇ−ｋおよびｓｕｂｃａｒｒｉｅｒＳｐａｃｉｎｇ−ｋ等の２つのフィールドを含み得る。表８は、ｎｕｍｅｒｏｌｏｇｙＣｏｎｆｉｇ−ｋのための例示的構成を示す。
【表８】
2019517182.tif 000047
【０１６１】
同期数秘術のためのパラメータは、ｎｕｍｅｒｏｌｏｇｙＣｏｎｆｉｇ−ｓｙｎｃによって与えられる。ｎｕｍｅｒｏｌｏｇｙＣｏｎｆｉｇ−ｓｙｎｃは、例えば、ｃｐＣｏｎｆｉｇ−ＫおよびｓｕｂｃａｒｒｉｅｒＳｐａｃｉｎｇ−ｋ等の２つのフィールドを含み得る。表９は、ｎｕｍｅｒｏｌｏｇｙＣｏｎｆｉｇ−ｓｙｎｃのための例示的構成を説明する。
【表９】
2019517182.tif 000048
【０１６２】
図２２は、異なるセルが主要数秘術のための異なる構成を有する、図３Ａ−Ｆに開示されるような例示的５Ｇシステムを図示する。セルは、共通同期信号数秘術を有する。具体的には、ｅＮＢは、主要数秘術のうちの１つをＵＥに割り当てる。割り当ては、ｅＮＢが同期し、初期セル検索を通してセルに接続後に生じる。ｅＮＢは、割り当てを行うための異なる基準を使用し得る。１つの基準は、ＵＥのために構成されるＲＡＮスライシングを含み得る。ここでは、低待ち時間要件を伴うＵＥは、最大キャリア間隔および最短シンボル持続時間を伴う主要数秘術を割り当てられ得る。別の基準は、ネットワーク負荷を含み得る。この場合、ＲＡＮが、高リソース利用を有する場合、ｅＮＢは、新しく同期されたＵＥを最長シンボル持続時間を伴う主要数秘術に割り当て得る。さらに別の基準は、ＵＥ場所を含み得る。例えば、ＲＡＮは、ＵＥが、屋内場所にあることを認識する場合、最短ＣＰを伴う数秘術を割り当て得る。
【０１６３】
主要数秘術割り当ては、セルのシステム情報上に搬送されることが想定される。以下のユースケースは、主要数秘術が、システム情報の異なるブロックを通して、またはＲＲＣ接続を介して割り当てられる、異なる展開を図示する。第１のユースケースでは、単一主要数秘術を伴う５Ｇ  ｅＮＢを検討する。ｅＮＢは、その同期数秘術を使用して、ＭＩＢを伝送する。主要数秘術は、全ての他のシステム情報を伝送し、データチャネルを制御するために採用される。ＵＥは、セル検索プロシージャを開始し、セルの物理セル識別（ＰＣＩ）を取得し、以前の既知の同期数秘術を使用して、ＭＩＢをデコードする。ＭＩＢは、セル内のサポートされる主要数秘術を規定する、ｎｕｍｅｒｏｌｏｇｙＣｏｎｆｉｇフィールドを含む。ＵＥは、ここで、主要数秘術を使用して、残りのシステム情報をデコードし、ＲＲＣ接続を実施する。
【０１６４】
第２のユースケースでは、複数の主要数秘術を伴う、図７Ｃ−Ｆ等の上記に説明される５Ｇ  ｅＮＢを検討する。ｅＮＢは、同期数秘術を使用して、そのシステム情報の少なくとも一部を伝送する。同期数秘術を介して伝送されるＭＩＢは、サポートされる主要数秘術の情報を搬送する。これは、例えば、サポートされる主要数秘術と構成されるネットワークスライスのマッピングを含み得る。あるネットワークスライスに属するように事前構成されるＵＥは、その主要数秘術を本ＭＩＢから取得する。以下の表１０は、ｎｕｍｅｒｏｌｏｇｙＣｏｎｆｉｇ−ｋと異なるネットワークスライスの例示的マッピングを提供する。
【表１０】
2019517182.tif 000049
【０１６５】
本願によると、５Ｇシステム／セルが同期信号数秘術を選択し得ることが想定される。特に、システムは、サポートされることが可能な全ての利用可能な数秘術の中でも、最低サンプリングレート、最小サブキャリア間隔、または最小待ち時間制約（最小ＤＬシンボル持続時間）を要求する。図２３は、主要数秘術を検出するための決定ツリーの例示的例証である。
【０１６６】
なおもさらに別の実施形態によると、近隣セル内のＤＬ同期によって使用される数秘術についての情報は、ｅＮＢ／セルによってそれらが接続されるＵＥに提供されるシステム情報内に含まれてもよいことが想定される。ＵＥは、セル再選択が要求されると、近隣セルとの同期をシームレスに実施することができる。例えば、近隣セル情報が、ＬＴＥにおけるＳＩＢ−４およびＳＩＢ−５等のＳＩＢ内に提供される場合、近隣セルのＤＬ同期数秘術についての情報は、ｓｙｎｃＮｕｍｅｒｏｌｏｇｙＣｏｎｆｉｇと呼ばれるフィールドを通して、これらのＳＩＢを通して提供されるであろう。このフィールドは、ＳＩＢ内に存在するＩｎｔｒａＦｒｅｑＮｅｉｇｈＣｅｌｌＩｎｆｏフィールドまたはＩｎｔｅｒＦｒｅｑＮｅｉｇｈＣｅｌｌＩｎｆｏフィールドの一部であり得る。
以下の表１２および１３は、それぞれ、近隣セルのためのｓｙｎｃＮｕｍｅｒｏｌｏｇｙＣｏｎｆｉｇ情報を搬送する、ＳＩＢ−４およびＳＩＢ−５の例示的構成を示す。表１１では、追加されるフィールドは、ｓｙｎｃＮｕｍｅｒｏｌｏｇｙである。
【表１１】
2019517182.tif 000050
【０１６７】
さらに別の実施形態によると、５Ｇネットワーク上の装置は、近隣セルとの同期を実施するためのその上に記憶された命令を伴う、非一過性メモリを含むことが想定される。装置は、非一過性メモリに動作可能に結合され、（ｉ）第１のセルに接続される装置を提供し、（ｉｉ）第１のセルのシステム情報ブロックをデコードし、（ｉｉｉ）システム情報ブロックが近隣セルの同期数秘術を含むことを決定し、（ｉｖ）近隣セルの一次および二次同期信号検出を実施し、（ｖ）近隣セルと同期する命令を実行可能である、プロセッサを含む。
【０１６８】
本実施形態のある側面では、プロセッサはさらに、近隣セルがセル再選択のための基準を満たすかどうかを決定可能である。本実施形態のさらに別の側面では、プロセッサはさらに、第１のセルから近隣セルへのハンドオーバを開始可能である。
【０１６９】
以下の表１２は、ＤＬ同期信号情報要素の近隣セルの数秘術に関する情報のための提案されるソリューションを用いた例示的ＳｙｓｔｅｍＩｎｆｏｒｍａｔｉｏｎＢｌｏｃｋＴｙｐｅ５（ＳＩＢ−５）情報要素を図示する。
【表１２−１】
2019517182.tif 000051
【表１２−２】
2019517182.tif 000052
【表１２−３】
2019517182.tif 000053
【表１２−４】
2019517182.tif 000054
【０１７０】
フィールドｓｙｎｃＮｕｍｅｒｏｌｏｇｙは、シンボルのＣＰ長、サブキャリア間隔、および近隣セルのＤＬ同期信号のシンボル持続時間を完全に説明するための十分な情報を含む。以下の表１３は、近隣セルのｓｙｎｃＮｕｍｅｒｏｌｏｇｙに関する情報が構成され得る方法を説明する。
【表１３】
2019517182.tif 000055
【０１７１】
ある実施形態では、図２４は、近隣セルの同期信号数秘術を取得し、セル再選択を実施するための決定ツリーを図示する。ステップは全て、アラビア数字で示される。特に、ＵＥは、接続状態にあって、セルＡにキャンプしている（ステップ０）。ステップ１では、ＵＥは、上記の説明に基づいて、ＳＩＢ４およびＳＩＢ５のデコードを開始し、近隣セル情報を取得する。ＵＥは、ステップ２において、近隣セルＢのためのｓｙｎｃＮｕｍｅｒｏｌｏｇｙが見出されたかどうかをクエリする。該当しない場合、ＵＥは、ステップ２ｂに進み、代替手段を見出すであろう。
【０１７２】
ステップ２の回答が、「はい」である場合、ＵＥは、ステップ３に進む。ここでは、ＵＥは、ｓｙｎｃＮｕｍｅｒｏｌｏｇｙパラメータを用いて、セルＢのためのＰＳＳおよびＳＳＳ検出を実施し、同期を取得する。また、測定を実施し得る。
【０１７３】
次に、ＵＥは、ステップ４において、セルＢがセル再選択のための基準を満たすかどうかを決定する。該当しない場合、ＵＥは、シンボルタイミングセクタ−ＩＤ合流点に戻り、ステップ３に進む。該当する場合、ＵＥは、セルＢへのハンドオーバを開始するために、ステップ５に進む。その結果、ＵＥは、セルＡからセルＢに移行する（ステップ６）。
【０１７４】
ここでＮＲ−ＰＢＣＨに目を向けると、ある実施例では、ＮＲ−ＰＢＣＨは、ＮＲ−ＰＳＳ、ＮＲ−ＳＳＳと比較して、同一または異なる伝送期間性を有し得る。本周期的伝送インターバルは、周波数帯域（または周波数範囲）に依存し得る。例えば、ＮＲ−ＰＢＣＨ伝送期間性は、６ＧＨｚを下回るとき、Ｔ＝１０ｍｓに、６ＧＨｚを上回るとき、Ｔ＝５ｍｓに設定され得る。ＤＬビーム掃引ブロックでは、ＮＲ−ＰＢＣＨは、ＮＲ−ＰＳＳおよびＮＲ−ＳＳＳと共存または非共存することができる。図２５Ａ−Ｂを参照すると、ＮＲ−ＰＳＳおよびＮＲ−ＳＳＳとバンドルされていない、例示的ＮＲ−ＰＢＣＨが、描写される。ＮＲ−ＰＢＣＨは、ＤＬビーム掃引バーストＴと同一または異なる伝送期間を有し得る。これは、周波数帯域／範囲に依存し得る。ＮＲ−ＰＢＣＨは、一例として提示され、限定ではない、以下のシステム情報を搬送し得る。
・  ＰＲＡＣＨリソースを示す
・  ＰＲＡＣＨフィードバック方法を示す
ｏ  例えば、限定ではないが、以下等のＵＬビーム掃引方法
・  ビーム掃引
・  最良選択されたＴｘビームに基づく
・  シンボルからサブフレームまでの指示／カウンタを搬送する
・  シンボルからサブフレームまでの指示またはカウンタが〜するとき
・  ＴＲＰ  ＩＤ：セルＩＤおよびＴＲＰ  ＩＤは、ＵＥがビームＩＤを導出することを補助することができる
・  サポートされる数秘術
・  ページングチャネル／ＤＬ制御チャネルのための復調基準のためのポートの数
・  ページング信号ブロードキャストバースト周期およびリソース
・  複数のビーム関連付けまたは単一ビーム関連付け指示
ｏ  ＤＬビーム掃引ブロックを示すための１ビット指示が、単一または複数のビームに関連付けられる
【０１７５】
ある実施例では、ＮＲ−ＰＢＣＨは、ＮＲ−ＳＳＳおよび／またはＮＲ−ＰＢＣＨ復調のための専用ビーム基準信号を介して、復調され得る。復調基準信号が、ＮＲ−ＰＢＣＨ復調のために利用可能である場合、同様に、ビーム訓練基準（ＢＴＲＳ）としてサービス提供され得る。ＮＲ−ＰＢＣＨのための復調基準信号は、ＳＦＢＣまたは最大Ｚ＝２ｍポートの他の伝送多様性をサポートするように設計されることができる。例えば、Ｚポートは、１、２、４、または８として設定されることができる。ＵＥは、例えば、伝送多様性のためのサポートされるポートの数が、ＵＥに未知である場合、いくつかの仮定数を盲目的にデコードし、いくつかの復調基準信号を照合する必要があり得る。例えば、サポートするポートの数が、規定される場合、ＵＥは、伝送多様性をサポートするための盲目的検出の実施を回避し、検出複雑性を低減させることができる。伝送多様性をサポートするために規定されたポートは、異なる周波数帯域、数秘術、または例えば、ＵＲＬＬＣ、ＭＴＣ、もしくはＥＭＢＢ等の異なるアプリケーションに基づいて構成されることができる。ある場合には、ＮＲ−ＰＢＣＨのための復調基準は、準共存（ＱＣＬ）としてデフォルト化される。例えば、ビーム掃引ブロックが、複数のＣＰ−ＯＦＤＭシンボルを有するとき、ＮＲ−ＰＢＣＨのための復調基準信号は、ＮＲ−ＰＢＣＨとともに、同一または異なるシンボルに位置することができる。図２６Ａ−Ｂは、ＮＲ−ＰＢＣＨのための復調信号設計のための実施例を示す。ＮＲ−ＳＳＳが、ＮＲ−ＰＢＣＨ復調のために使用される場合、ＮＲ−ＳＳＳは、ＮＲ−ＰＢＣＨ伝送多様性をサポートするように設計される必要がある。例えば、ＮＲ−ＰＢＣＨが、最大Ｚ＝２ｍポートをサポートする場合、ＮＲ−ＳＳＳまたはＮＲ−ＳＳＳ信号の一部は、Ｚ＝２ｍポートにおいて伝送されることができる。それらのＺポートは、ＱＣＬとしてデフォルトであって、ポート場所は、ＵＥに既知である。図２６Ｃでは、ＮＲ−ＳＳＳが２つのポートをサポートする、実施例を示す。
【０１７６】
ここで、ＮＲ−ＰＢＣＨを復調するためのビーム訓練ＲＳ（ＢＴＲＳ）に目を向けると、本明細書では、ビームＩＤを決定するプロセスにおいて仮定数検索の数を最小限にすることが望ましくあり得ることが認識される。したがって、例示的実施形態では、セルおよびビームが識別され得る、初期アクセス識別プロシージャは、一例として提示され、限定ではない、以下のステップを含む。
【０１７７】
ステップ−１：セルＩＤを決定する−セルＩＤは、ビームＩＤの検索数を最小限にするために、最初のステップにおいて識別される。これは、セルＩＤが決定されると、ブラックリストに入れられている場合、ＵＥがそのセル内のビームの検索を中止し得るため、重要なステップであり得る。例えば、セルＩＤは、ＬＴＥのものに類似するＰＳＳおよびＳＳＳを使用して決定され得る。しかしながら、本ステップは、ＰＳＳおよびＳＳＳがサブフレーム／フレーム内の異なる時間に生じるビーム上にあるため、フレームタイミングを提供することができないことに留意されたい。
【０１７８】
ステップ−２：ビームＩＤを決定する−ビームＩＤは、セルＩＤの知識が取得された後に取得され得る。これを遂行する１つの方法は、ビーム訓練基準信号（ＢＴＲＳ）をフレーム内の固定場所にプロビジョニングすることである。ＢＴＲＳシーケンスは、ビームＩＤ（またはビームの基準信号のリソース）によって使用されるセルＩＤおよびリソースによって決定され得る。ＵＥが、セルＩＤを取得すると、ビームに関する可能な仮定数を解決し、ビームＩＤを検出する。ＲＴＢＳは、同様に、ＮＲ−ＰＢＣＨの復調のためにも使用されることができる。
【０１７９】
実施例は、図２７Ａ−Ｃに示され、ここでは、そのＮＲ−ＰＳＳおよびＮＲ−ＳＳＳがビーム掃引の形態で異なるシンボル内で伝送される、３つのビームが存在する。ＢＴＲＳリソースは、サブフレームのｘ番目のシンボル内に配分される。ｘ番目のシンボルの設定は、周波数帯域（または周波数範囲）または数秘術に依存し得る。各ビーム上のＢＴＲＳは、図２７Ａ−Ｃに見られるように、異なるリソースを共有し得る。しかしながら、異なるビームが同一リソースを共有するＢＴＲＳの可能性も、特に、ビームが空間的に重複しないとき、除外されないことを理解されるであろう。ＵＥが、最良ＮＲ−ＰＳＳ／ＳＳＳを検出すると、セルＩＤを決定し、本セルＩＤを使用して、ビームＩＤを導出する。本実施例では、ＵＥは、ＢＴＲＳの時間−場所に関する３つの仮定数を有し、ＢＴＲＳのデコード／復調に進み、ＳＩＮＲを最大限にするものを検証する。
【０１８０】
さらに、ある場合には、ＢＴＲＳ信号は、セルＩＤに結び付けられる。同様に、ビーム上の伝送も、セルＩＤおよびビームＩＤの両方に結び付けられ得る。例えば、ＮＲ−ＰＢＣＨ、ＤＣＩ、およびＰＤＳＣＨ等のＰＨＹチャネルをスクランブリングするために使用されるスクランブリングシーケンスは、セルＩＤおよびビームＩＤの両方をともに使用して生成される。
【０１８１】
ある実施形態では、ＵＥは、ＴＸＳＳ信号強度に基づいて、ビーム／セルを選択し、初期ネットワークアクセス、および／またはＢＦペアリングを実施する。各ビームｉ＝１，・・・，Ｎ、ビームＩＤに関連付けられ、各ビームＩＤは、複数のシーケンスに関連付けられることができる。ビームＩＤに関連付けられたシーケンスの数は、Ｊとして示される。ビームＩＤおよびその対応するビームシーケンスの関連付けは、システムによって事前に定義されることができる。例えば、ビームシーケンスは、異なるシフトを伴うＭ−シーケンスまたは他の（半）直交シーケンスを採用し、ＵＥが、ビームＩＤおよびシンボル、サブフレームタイミングを同時に検出しながら、ビームｉ＝１，・・・，Ｎを区別することを可能にすることができる。各ビームｉ＝１，・・・，Ｎは、それ自体の一意のシーケンスを有する。故に、ＵＥは、Ｊ×Ｎ相関器を設定し、タイミング検出およびビームＩＤ検出を実施することができる。ＢＴ−ＲＳの伝送は、既知の周期性に基づくため、各ビームｉ＝１，・・・，Ｎの遅延プロファイルが、各ビーム相関出力の蓄積とともに利用されることができる。ＢＴ−ＲＳビームＩＤおよび関連付けられたビームシーケンスの実施例は、図２８に示される。具体的には、Ｎ＝３個のビームが、存在し、各ビームＩＤは、１、２、および３として設定される。ビームＩＤ毎に、Ｊ＝２シーケンスに関連付けられる。故に、ＵＥが、初期アクセス段階の間、タイミングおよび周波数同期を実施するとき、Ｊ×Ｎ個の仮定数が、Ｎ個のビームに関して検出される。本実施例では、各ビームＩＤは、Ｊ＝２シーケンスに関連付けられ、各関連付けられたシーケンスは、異なる時間またはサブフレームインターバルで伝送される。したがって、ビームＩＤに関連付けられたそれらのビームシーケンスは、フレームタイミングを区別するために使用されることができる。図２８では、各ビームＩＤは、２つのシーケンスに関連付けられ、各ビームシーケンスは、５つのサブフレームによって繰り返される。本アプローチでは、フレームタイミングは、区別されることができる。
【０１８２】
ＵＥは、ＲＸビーム形成利得が全ての方向に関して等しいと仮定し、ＢＴ−ＲＳの受信された信号強度に基づいてアクセスするためのセル／セクタビームを決定する。各ビームＩＤは、一意のシーケンスに関連付けられるため、ＵＥは、ビームＩＤを関連付けられたビームシーケンスからデコードすることができる。実際は、ビームシーケンスは、ＢＴ−ＲＳの受信された信号強度に基づいて選択される。ＵＥは、初期ビーム検索プロシージャを実施し、キャンプするための最良ビームを見出す。ＵＥにおけるシンボル、サブフレームタイミング、およびビームＩＤ検出、ならびにデコード機能は、図２９に図示される。
【０１８３】
別の実施形態では、ＮＲ−ノード／ＴＲＰは、そのＢＴ−ＲＳおよびビーム形成されたＰＢＣＨを伝送する。ＰＢＣＨは、ビーム毎に、対応するＢＴ−ＦＳと同一方法でビーム形成されるべきである。ＢＣＨは、先行するＢＴ−ＲＳ上で搬送されるＩＤ（ビームＩＤまたはセル／ＴＲＰ／ＲＡＮスライスＩＤ）を照合する目的を果たすであろう。ＰＢＣＨコンテンツは、セルまたはＴＲＰまたはＲＡＮスライス共通ＰＢＣＨコンテンツを含み得る。ＰＢＣＨの共通部分は、ビーム掃引ビーム特有のＢＣＨコンテンツに続いてブロードキャストされることができる。コンテンツは、ビームＩＤを含み得る。ビームＩＤは、ローカルエリア内でローカルに一意のビームＩＤを用いたフラット構造を有し得る（セルＩＤおよびＴＲＰ  ＩＤおよび／またはＲＡＮスライスＩＤを搬送しない）。
【０１８４】
コンテンツはまた、階層構造を含み得る。階層構造は、セルＩＤ／ＴＲＰ  ＩＤ（適用可能な場合）／ＲＡＮスライスＩＤ（適用可能な場合）／ビームＩＤを含む。また、図３０に図示されるように、１つを上回る対象範囲サイズを伴ってネスト化されたビームを含み得る。ここでは、ビームが粗いほど、精緻化されたアンテナ重みベクトルに伴って、比較的により広い対象範囲および高利得狭ビームを有する。この場合、２つのサイズの対象範囲ビームが存在する場合、一方は、タイプ１ビームとして示され、他方は、タイプ２ビームとして示されるであろう。タイプ１ビームは、１つを上回るタイプ２ビームを含む、より広いビームである。ビームＩＤは、セルＩＤ（および／またはＴＲＰ  ＩＤおよび／またはＲＡＮスライス）＋レベル１ビームＩＤ＋レベル２ビームＩＤであり得る。
【０１８５】
複数のビームが、同時にブロードキャストされる場合、各ビームは、それ自体のビームＩＤを有する。タイプ１ビームは、「不可欠な」（または「一次」または「最も重要な」）システム情報（例えば、ＬＴＥ  ＭＩＢ、ＳＩＢ１、およびＳＩＢ２のＮＲ均等物）をブロードキャストするために使用され得る一方、タイプ２ビームは、需要に応じて、システム情報、例えば、システムアクセスのために不可欠ではないシステム情報、例えば、サービス特有システム情報の送達のために使用され得る。初期アクセスのためのＰＢＣＨ設計のための２つのオプションが存在し、第１のオプションは、ＰＢＣＨが需要に応じて伝送するものであって、第２のオプションは、ＰＢＣＨが各ビーム伝送とペアリングされるものである。
【０１８６】
（各ビーム伝送を伴うＰＢＣＨ）
別の実施形態では、初期アクセスにおいて、ＰＢＣＨは、常時、ＤＬ  Ｔｘビーム掃引における各ＴｘビームのＤＬ  ＢＴ−ＲＳに続いて伝導される。このように、ＵＥがＤＬ内で有効ＢＴ−ＲＳ（および対応するビーム）を正常に検出し、ビームＩＤをデコードすると、ＵＥは、対応するビーム形成されたＰＢＣＨのデコードを開始することができる。ＵＥは、ＰＢＣＨをデコードする前に、ＮＲ−ノードに対する任意のビーム形成フィードバックまたはそのＴｘビーム掃引／訓練を実施しないであろう。本方法のためのＵＥプロシージャは、図３１に例示的に図示される。図３２は、フレーム構造内のＢＴ−ＲＳおよびＰＢＣＨの場所を説明する。
【０１８７】
本オプションでは、ＵＥは、ビーム入手ＡＣＫをＮＲ−ノードから受信するまで、ＰＢＣＨをデコードする必要がないであろう。ビームＩＤフィードバックリソースは、ＮＲシステムによって予約され、ＵＥに既知である。加えて、複数のＵＥが同一ビームを被る（または同一ＩＤを検出する）場合、競合し得るため、競合が生じ得る。しかしながら、ＵＥは、一般に、異なる幾何学的場所にあって、同一ビームを受けないであろうため、競合の確率は、低い。加えて、ＮＲ−ノードは、同期に起因して、アップリンク伝搬を吸収し得る。フィードバック機構は、以下の方程式において提案されるＣＡＺＡＣシーケンスを使用することができる。
【０１８８】
【数１８】
2019517182.tif 000056
【０１８９】
式中、Ｑは、シーケンス長であって、ＣＡＺＡＣシーケンスのルートｕは、ビームＩＤの関数として設定されることができ、αは、巡回シフトである。
【０１９０】
（ＮＲ−ＳＳ周期性）
本願のさらなる側面によると、ＤＬ同期信号の周期性は、セル内でサポートされる種々の５Ｇアプリケーションに依存し得ることが想定される。例えば、５Ｇアプリケーションは、異なる同期チャネル周期性を使用することができる。あるユースケースでは、３つの異なる５Ｇサービスをサポートするセルを検討する。各サービスは、異なるサブキャリア間隔、例えば、Δｆ、２Δｆ、および４Δｆを有し得る。故に、サービス毎のＤＬ同期ブロードキャスト周期性は、異なるであろう。例えば、サブキャリア間隔Δｆを伴うアプリケーションは、ｑ  ｍｓ  ＤＬ同期チャネル周期性を有することができる。代替として、サブキャリア間隔２Δｆを伴うアプリケーションは、ｑ／２ｍｓ周期性を有することができる。代替として、サブキャリア間隔４Δｆを伴うアプリケーションは、ｑ／４ｍｓ周期性を有することができる。これは、例えば、図３３に示される。
【０１９１】
ある実施形態では、ＵＥにおけるＤＬ同期プロシージャは、種々のＤＬ同期ブロードキャスト周期性を用いて盲目的に検出される。具体的には、ＰＳＳ検出段階では、ＵＥは、受信された信号とＱ個の可能なＰＳＳシーケンスを相互に関係づけるステップを実施する。Ｑは、サポートされ得る最大数のＰＳＳシーケンスである。ＵＥはまた、種々のＰＳＳブロードキャスト周期性に従って、相互相関結果を種々の蓄積バッファの中に記憶するステップを実施し得る。ＵＥはまた、最強ピークを蓄積バッファから選択し得る。次いで、その対応するルートシーケンスｕを伴う対応する
【数１８−１】
2019517182.tif 000057
を取得し得る。このことから、相関ピーク時間相対的位置は、時間オフセットを波形シンボルに提供し、ＳＳＳ検出を開始することができる。
【０１９２】
さらなる実施形態では、ＳＳＳ検出段階では、ＵＥは、受信された信号とｐ個の可能なＳＳＳシーケンスを相互に関係づけるステップを実施する。ＵＥはまた、種々のＳＳＳブロードキャスト周期性に従って、相互相関結果を種々の蓄積バッファの中に記憶するステップを実施し得る。次に、ＵＥは、最強ピークを選択し、そこから対応する
【数１８−２】
2019517182.tif 000058
を取得し得る。ＵＥが、信頼性のある相関結果を見出すことができない場合、ＵＥは、相関させるステップに戻り、次の
【数１８−３】
2019517182.tif 000059
を検出するであろう。そうでなければ、ＵＥは、
【数１８−４】
2019517182.tif 000060
および
【数１８−５】
2019517182.tif 000061
を介して、セルＩＤ
【数１８−６】
2019517182.tif 000062
を計算するであろう。
【０１９３】
本願によると、本明細書に説明されるシステム、方法、およびプロセスのいずれかまたは全ては、コンピュータ実行可能命令、例えば、コンピュータ読み取り可能な記憶媒体上に記憶されるプログラムコードの形態で具現化され得、その命令は、コンピュータ、サーバ、Ｍ２Ｍ端末デバイス、Ｍ２Ｍゲートウェイデバイス、トランジットデバイス等のマシンによって実行されると、本明細書に説明されるシステム、方法、およびプロセスを実施および／または実装することを理解されたい。具体的には、上記に説明されるステップ、動作、または機能のいずれかは、そのようなコンピュータ実行可能命令の形態で実装され得る。コンピュータ読み取り可能な記憶媒体は、情報の記憶のために任意の方法または技術で実装される揮発性および不揮発性の取り外し可能および非取り外し可能媒体を含むが、そのようなコンピュータ読み取り可能な記憶媒体は、信号を含まない。コンピュータ読み取り可能な記憶媒体として、限定ではないが、ＲＡＭ、ＲＯＭ、ＥＥＰＲＯＭ、フラッシュメモリまたは他のメモリ技術、ＣＤ  ＲＯＭ、デジタル多用途ディスク（ＤＶＤ）または他の光ディスク記憶装置、磁気カセット、磁気テープ、磁気ディスク記憶装置または他の磁気記憶デバイス、もしくは所望の情報を記憶するために使用され得、かつコンピュータによってアクセスされ得る、任意の他の物理的媒体が挙げられる。
【０１９４】
本願のさらに別の側面によると、コンピュータ読み取り可能なまたは実行可能命令を記憶するための非一過性コンピュータ読み取り可能なまたは実行可能記憶媒体が、開示される。媒体は、図７Ａ／Ｂ、１４、２３−２４、２９、および３１に従って複数のコールフローにおいて上記に開示されるような１つ以上のコンピュータ実行可能命令を含み得る。コンピュータ実行可能命令は、上記図３Ｃおよび３Ｆに開示される、メモリ内に記憶され、プロセッサによって実行され、例えば、基地局およびエンドユーザ機器等のノードを含む、デバイス内で採用され得る。特に、例えば、図３Ｂおよび３Ｅに示されるようなＵＥは、（ｉ）５Ｇネットワークにおいてセルの検索を実施し、（ｉｉ）セルの一次同期信号を検出し、（ｉｉｉ）セルの二次同期信号を検出し、（ｉｖ）セルと同期し、同期数秘術を使用して、セルの物理ブロードキャストチャネルをデコードする命令を実施するように構成される。ここでは、サブキャリア間隔係数は、検出された一次同期信号または検出された第２の同期信号のいずれかから取得される。
【０１９５】
ＵＥはまた、５Ｇネットワークにおいて初期アクセス信号の構成を実施するように構成され得る。プロセッサによって実行される命令は、（ｉ）ダウンリンク初期アクセス信号を搬送するビーム掃引ブロックを含む、ダウンリンク掃引サブフレームの伝送を監視し、（ｉｉ）同期チャネルを搬送する、ダウンリンク初期アクセス信号を検出し、（ｉｉｉ）同期チャネルに基づいて、ダウンリンクに関連付けられたビーム掃引ブロックの識別を決定することを含む。
【０１９６】
本願の別の側面では、第１のセル上のＵＥは、別のセルに移動することを所望し得る。ここでは、ＵＥは、（ｉ）第１のセルのシステム情報ブロックをデコードし、（ｉｉ）近隣セルの同期数秘術を含む、システム情報ブロックを決定し、（ｉｉｉ）近隣セルの一次および二次同期信号検出を実施し、（ｉｖ）近隣セルと同期するステップを実施するように構成される。
【０１９７】
別の側面では、例えば、図３Ｂ−３Ｆに示されるような基地局は、（ｉ）セルのマスタ情報ブロックをノードに伝送し、（ｉｉ）ネットワーク負荷、ノード場所、ノードのためのネットワークスライシング構成、およびそれらの組み合わせから選択された基準に基づいて、主要数秘術をノードに割り当てる命令を実施するように構成される。
【０１９８】
システムおよび方法が、現在具体的側面であると見なされるものの観点から説明されたが、本願は、開示される側面に限定される必要はない。請求項の精神および範囲内に含まれる種々の修正および類似配列を網羅することが意図され、その範囲は、全てのそのような修正および類似構造を包含するように、最も広い解釈が与えられるべきである。本開示は、以下の請求項の任意および全ての側面を含む。
【図１】
2019517182.tif 000063
【図２Ａ】
2019517182.tif 000064
【図２Ｂ】
2019517182.tif 000065
【図３Ａ】
2019517182.tif 000066
【図３Ｂ】
2019517182.tif 000067
【図３Ｃ】
2019517182.tif 000068
【図３Ｄ】
2019517182.tif 000069
【図３Ｅ】
2019517182.tif 000070
【図３Ｆ】
2019517182.tif 000071
【図４】
2019517182.tif 000072
【図５】
2019517182.tif 000073
【図６】
2019517182.tif 000074
【図７Ａ】
2019517182.tif 000075
【図７Ｂ】
2019517182.tif 000076
【図８】
2019517182.tif 000077
【図９】
2019517182.tif 000078
【図１０Ａ】
2019517182.tif 000079
【図１０Ｂ】
2019517182.tif 000080
【図１０Ｃ】
2019517182.tif 000081
【図１１】
2019517182.tif 000082
【図１２】
2019517182.tif 000083
【図１３Ａ】
2019517182.tif 000084
【図１３Ｂ】
2019517182.tif 000085
【図１４】
2019517182.tif 000086
【図１５】
2019517182.tif 000087
【図１６Ａ】
2019517182.tif 000088
【図１６Ｂ】
2019517182.tif 000089
【図１７】
2019517182.tif 000090
【図１８】
2019517182.tif 000091
【図１９】
2019517182.tif 000092
【図２０】
2019517182.tif 000093
【図２１Ａ】
2019517182.tif 000094
【図２１Ｂ−１】
2019517182.tif 000095
【図２１Ｂ−２】
2019517182.tif 000096
【図２１Ｂ−３】
2019517182.tif 000097
【図２１Ｃ】
2019517182.tif 000098
【図２２】
2019517182.tif 000099
【図２３】
2019517182.tif 000100
【図２４】
2019517182.tif 000101
【図２５】
2019517182.tif 000102
【図２６】
2019517182.tif 000103
【図２７】
2019517182.tif 000104
【図２８】
2019517182.tif 000105
【図２９】
2019517182.tif 000106
【図３０】
2019517182.tif 000107
【図３１】
2019517182.tif 000108
【図３２】
2019517182.tif 000109
【図３３】
2019517182.tif 000110
【国際調査報告】
2019517182.tif 000111
2019517182.tif 000112
2019517182.tif 000113
2019517182.tif 000114